(57)【要約】      （修正有）【課題】使用者がホースを引く場合にひっくり返る可能性を低下させる直立型の表面清掃装置を提供する。【解決手段】表面清掃装置１００は、表面清掃ヘッド１０２と、可撓性導管セクションと、清掃ヘッド１０２に可動式に取り付けられた上部セクション１０４とを含み得る。上部セクション１０４は、汚れ空気吸込口１０６と清浄空気吹き出し口１１４との間の空気流路１１６に位置決めされた空気処理部材を含み得る。表面清掃装置１００はまた、空気流路１１６に位置決めされた吸引モータを含み得る。上部セクション１０４はまた、可撓性導管セクションと空気処理部材との間の空気流路１１６に位置決めされた上向き流導管を含み得る。上部セクション１０４が直立位置にあるときに、可撓性導管は、可撓性導管の下流端部まで下方に延在する部分を含んでもよく、および上向き流導管は、上向き流導管の上流端部から上向き流導管の下流端部まで上方に延在し得る。【選択図】図１
0003198489.tif 000002
【実用新案登録請求の範囲】
【請求項１】
（ａ）汚れ空気吸込口を有する表面清掃ヘッド；
（ｂ）前記汚れ空気吸込口から清浄空気吹き出し口まで延在し、かつ可撓性導管セクションを含む空気流路；
（ｃ）前記清掃ヘッドに可動式に取り付けられ、かつ直立位置と第２の傾斜した使用中の位置との間で可動である上部セクションであって、
（ｄ）前記汚れ空気吸込口と前記清浄空気吹き出し口との間の前記空気流路に位置決めされた空気処理部材と；
（ｅ）前記空気流路に位置決めされた吸引モータと
を含み；および
（ｆ）前記上部セクションがさらに、前記可撓性導管セクションと前記空気処理部材との間の前記空気流路に位置決めされた上向き流導管を含み、前記上部セクションが前記直立位置にあるときに、前記可撓性導管が、前記可撓性導管の下流端部まで下方に延在する部分を含み、および前記上向き流導管が、前記上向き流導管の上流端部から前記上向き流導管の下流端部まで上方に延在する、上部セクション
を含む、直立型の表面清掃装置。
【請求項２】
前記上部セクションが前記直立位置にあるときに、前記上向き流導管の前記上流端部が前記表面清掃装置の重心の下方に位置決めされ、および前記上向き流導管の前記下流端部が、前記表面清掃装置の前記重心の上方にある、請求項１に記載の表面清掃装置。
【請求項３】
前記上向き流導管の前記上流端部が前記吸引モータの位置レベルにあり、および前記吸引モータが、前記直立セクションの下端部において、前記空気処理部材の下方に配置されている、請求項１に記載の表面清掃装置。
【請求項４】
前記空気処理部材が空気吸込口を含み、および前記上部セクションが前記直立位置にあるときに、前記上向き流導管の前記上流端部は、前記サイクロン室の前記空気吸込口の下方にある、請求項１に記載の表面清掃装置。
【請求項５】
さらに、前記上部セクションが前記直立位置にあるときに、前記表面清掃ヘッドと空気の流れを連通させるように接続された上流端部から、前記空気処理部材の上方に位置決めされた下流端部まで、上方に延在する剛性の上向き流導管を含み、および前記可撓性導管セクションは、前記剛性の上向き流導管の前記下流端部と前記上向き流導管の前記上流端部との間に位置決めされている、請求項１に記載の表面清掃装置。
【請求項６】
前記剛性の上向き流導管の前記下流端部が、前記上部セクションに駆動式に接続されたハンドルを含む、請求項４に記載の表面清掃装置。
【請求項７】
前記空気処理部材が、サイクロン室と、少なくとも部分的に前記サイクロン室の下方に配置されて前記サイクロン室からゴミを受け入れる集塵室とを含み、前記集塵室は底端壁を有し、および前記上部セクションが前記直立位置にあるときに、前記上向き流導管の前記上流端部は、前記集塵室の前記底端壁の下方にある、請求項１に記載の表面清掃装置。
【請求項８】
前記可撓性導管の前記下流端部は、前記上向き流導管の前記上流端部に対して回転可能である、請求項１に記載の表面清掃装置。
【請求項９】
さらに、前記可撓性導管と前記上向き流導管との間に配置された、湾曲した導管部材を含み、前記湾曲した導管部材の少なくとも一方の端部には、回転可能な結合部が設けられる、請求項７に記載の表面清掃装置。
【請求項１０】
前記湾曲した導管部材が、前記上向き流導管の前記上流端部および前記可撓性導管の前記下流端部の少なくとも一方に回転可能に結合される、請求項８に記載の表面清掃装置。
【請求項１１】
前記湾曲した導管部材の吸込側口は、前記可撓性導管の前記下流端部に回転可能に結合され、および前記湾曲した導管部材の吹き出し側口は、前記上向き流導管の前記上流端部に回転可能に結合される、請求項９に記載の表面清掃装置。
【請求項１２】
前記湾曲した導管部材の前記吸込側口および吹き出し側口は、異なる方向に向けられている、請求項１０に記載の表面清掃装置。
【請求項１３】
前記上部セクションが清掃ユニットを含み、および前記清掃ユニットが少なくとも前記空気処理部材を含む、請求項１に記載の表面清掃装置。
【請求項１４】
前記上向き流導管が前記清掃ユニットに設けられる、請求項１３に記載の表面清掃装置。
【請求項１５】
前記上向き流導管の前記上流端部が、前記清掃ユニットの前記下端部に近接して位置決めされる、請求項１３に記載の表面清掃装置。
【請求項１６】
前記上部セクションが前記直立位置にあるときに、前記上向き流導管の前記上流端部が、前記清掃ユニットの前記重心の下方に位置決めされる、請求項１３に記載の表面清掃装置。
【請求項１７】
前記上向き流導管の前記上流端部が前記清掃ユニットの下端部に近接している、請求項１３に記載の表面清掃装置。
【請求項１８】
前記上部セクションが前記直立位置にあるときに、前記上向き流導管の前記下流端部が、前記清掃ユニットの前記重心の上方に位置決めされる、請求項１５に記載の表面清掃装置。
【請求項１９】
前記清掃ユニットがまた前記吸引モータを含む、請求項１３に記載の表面清掃装置。
【請求項２０】
前記上部セクションが前記直立位置にあるときに、前記上向き流導管の前記上流端部が、前記吸引モータの前記重心の下方に位置決めされる、請求項１９に記載の表面清掃装置。
【請求項２１】
前記上部セクションが前記直立位置にあるときに、前記上向き流導管の前記下流端部が、前記吸引モータの上方に位置決めされる、請求項２０に記載の表面清掃装置。
【請求項２２】
前記清掃ユニットが、清掃ユニットの縦軸の方向において測定した清掃ユニットの高さを有し、前記上向き流導管の前記上流端部と前記上向き流導管の前記下流端部との間の縦方向の間隔が、前記上部セクションのユニットの高さの約１５％〜約１００％である、請求項１３に記載の表面清掃装置。
【請求項２３】
前記上向き流導管の前記上流端部と前記上向き流導管の前記下流端部との間の前記縦方向の間隔が、前記上部セクションのユニットの高さの約３５％〜約８５％である、請求項２２に記載の表面清掃装置。
【請求項２４】
前記上向き流導管の前記上流端部と前記清掃ユニットの前記底部との間の縦方向の間隔が、前記上部セクションのユニットの高さの約２５％未満である、請求項２２に記載の表面清掃装置。
【請求項２５】
前記上向き流導管の前記上流端部と前記清掃ユニットの前記底部との間の前記縦方向の間隔が、前記上部セクションの高さの約１０％未満である、請求項２２に記載の表面清掃装置。
【請求項２６】
さらに、前記表面清掃ヘッドに可動式に結合された取付用ハブを含み、および前記清掃ユニットが、前記取付用ハブに取り外し可能に取り付けられている、請求項１９に記載の表面清掃装置。
【請求項２７】
前記清掃ユニットが、前記清掃ユニットが前記表面清掃ヘッドから分離されているときに前記清掃ユニットを支持するように構成された少なくとも１つの清掃ユニット支持部材を含む、請求項２６に記載の表面清掃装置。
【請求項２８】
前記少なくとも１つ清掃ユニット支持部材が、少なくとも１つの車輪を含む、請求項２７に記載の表面清掃装置。
【請求項２９】
前記空気処理部材が、前記上向き流導管の前記下流端部と流れを連通させるサイクロン式空気吸込口を有するサイクロン室を含む、請求項１に記載の表面清掃装置。
【請求項３０】
前記空気処理部材が、前記サイクロン室および集塵室を含むサイクロン式ゴミ箱組立体を含む、請求項２９に記載の表面清掃装置。
【請求項３１】
前記サイクロン式空気吸込口が、前記サイクロン室の前記底部の近くに設けられている、請求項３０に記載の表面清掃装置。
【請求項３２】
さらに床上清掃ワンドを含み、前記表面清掃装置が、前記床上清掃ワンドが前記空気流路の一部分を形成する床面清掃モード、および前記床上清掃ワンドの吸込口が、前記汚れ空気吸込口との空気流れの連通部から切り離されている床上清掃モードで、動作可能であり、および前記床上清掃ワンドは、前記可撓性導管セクションから上流に接続された吹き出し側口を有する、請求項１に記載の表面清掃装置。
【請求項３３】
さらに、前記床上清掃ワンドに接続されたハンドルを有し、および前記表面清掃装置が前記床面清掃モードにあるとき、前記ハンドルおよび床上清掃ワンドは前記表面清掃ヘッドに駆動式に接続される、請求項３２に記載の表面清掃装置。
【請求項３４】
前記ハンドルが、第１の把持部材、および別個の第２の把持部材を有し、および前記第１の把持部材は第１の方向に延在し、および前記第２の把持部材は、前記第１の方向に対してある角度をなす第２の方向に延在する、請求項３３に記載の表面清掃装置。
【請求項３５】
前記第２の把持部材が、前記第１の把持部材に対して約１０度〜約１７５度の角度に向けられている、請求項３４に記載の表面清掃装置。
【請求項３６】
前記表面清掃装置が前記直立位置にあるとき、前記第２の把持部材はほぼ垂直であり、および前記第１の把持部材は、水平から約３０度以内にある、請求項３３に記載の表面清掃装置。
【請求項３７】
前記第２のグリップが、前記ハンドルの前方部に設けられ、かつ前記上部セクションが前記直立位置にあるときにほぼ垂直である、請求項３６に記載の表面清掃装置。
【請求項３８】
前記ハンドルが前記清掃ワンドの前記吹き出し側口に近接して設けられている、請求項３３に記載の表面清掃装置。
【請求項３９】
前記清掃ワンドがワンドの長さを有し、前記上向き流導管が上向き流導管の長さを有し、および前記上向き流導管の長さが、前記ワンドの長さの少なくとも３５％である、請求項３２に記載の表面清掃装置。
【請求項４０】
前記上向き流導管の長さが前記ワンドの長さの少なくとも５０％である、請求項３９に記載の表面清掃装置。
【請求項４１】
前記清掃ワンドが前記上部セクションに取り付けられているとき、および前記上部セクションが前記直立位置にあるときに、前記清掃ワンドの前記吸込口が、前記上向き流導管の前記上流端部と下流端部との間に垂直に位置決めされている、請求項３２に記載の表面清掃装置。
【請求項４２】
前記上向き流導管が前記上部セクションに対して傾斜しているため、前記上向き流導管の前記上流端部が、前記表面清掃装置の前記動きの方向において前記上向き流導管の前記下流端部から離間している、請求項１に記載の表面清掃装置。
【請求項４３】
（ａ）汚れ空気吸込口を有する表面清掃ヘッド；
（ｂ）前記汚れ空気吸込口から清浄空気吹き出し口まで延在する空気流路；
（ｃ）前記表面清掃ヘッドに可動式に取り付けられ、かつ直立位置と第２の傾斜した使用中の位置との間で可動である上部セクションであって、
（ｄ）前記汚れ空気吸込口と前記清浄空気吹き出し口との間の前記空気流路に位置決めされた空気処理部材；および、
（ｅ）前記空気流路に位置決めされた吸引モータ；
を含む上部セクション
を含む、直立型の表面清掃装置であって、
（ｆ）前記上部セクションが前記直立位置にあるときに、前記空気流路が：
（ｉ）前記表面清掃ヘッドと流体流れを連通させる上流端部と、前記空気処理部材の上方に位置決めされる下流端部との間に延在する、剛性の第１の上向き流導管；
（ｉｉ）前記上部セクションの下端部に近接して位置決めされた上流端部から、前記上流端部の上方に位置決めされる下流端部まで上方に延在する第２の上向き流導管；および、
（ｉｉｉ）前記第１の上向き流導管の前記下流端部と前記第２の上向き流導管の前記上流端部との間に延在する下降流導管
を含む、直立型の表面清掃装置。
【請求項４４】
前記第２の上向き流導管の前記下流端部が、前記空気処理部材の空気吸込口に近接している、請求項４３に記載の表面清掃装置。
【請求項４５】
前記第１の上向き流導管、第２の上向き流導管および下降流導管が前記空気処理部材の外部にある、請求項４３に記載の表面清掃装置。
【請求項４６】
前記上部セクションが前記直立位置にあるときに、前記第２の上向き流導管の前記上流端部が、前記表面清掃装置の前記重心の下方に位置決めされる、請求項４３に記載の表面清掃装置。
【請求項４７】
前記上部セクションが前記直立位置にあるときに、前記第２の上向き流導管の前記下流端部が、前記表面清掃装置の前記重心の上方に位置決めされる、請求項４５に記載の表面清掃装置。
【請求項４８】
前記下降流導管および前記第２の上向き流導管の少なくとも一方が可撓性ホースを含む、請求項４３に記載の表面清掃装置。
【請求項４９】
前記空気処理部材が空気吸込口を含み、および前記上部セクションが前記直立位置にあるときに、前記第２の上向き流導管の前記上流端部が、前記サイクロン室の前記空気吸込口の下方にある、請求項４３に記載の表面清掃装置。
【請求項５０】
前記空気処理部材が、サイクロン室と、前記サイクロン室の下方に少なくとも部分的に配置されて前記サイクロン室からゴミを受け入れる集塵室とを含み、前記集塵室が底端壁を有し、および前記上部セクションが前記直立位置にあるときに、前記第２の上向き流導管の前記上流端部が、前記集塵室の前記底端壁の下方にある、請求項４３に記載の表面清掃装置。
【請求項５１】
前記下降流導管の下流端部が、前記第２の上向き流導管の前記上流端部に対して回転可能である、請求項４３に記載の表面清掃装置。
【請求項５２】
さらに、前記下降流導管と前記第２の上向き流導管との間に配置された、湾曲した導管部材を含み、前記湾曲した導管部材の少なくとも一方の端部には、回転可能な結合部が設けられる、請求項５１に記載の表面清掃装置。
【請求項５３】
前記湾曲した導管部材が、前記第２の上向き流導管の前記上流端部および前記下降流導管の前記下流端部の少なくとも一方に回転可能に結合される、請求項５２に記載の表面清掃装置。
【請求項５４】
前記湾曲した導管部材の前記吸込側口および吹き出し側口が、異なる方向に向けられている、請求項５３に記載の表面清掃装置。
【請求項５５】
前記上部セクションが清掃ユニットを含み、および前記清掃ユニットが少なくとも前記空気処理部材を含む、請求項４３に記載の表面清掃装置。
【請求項５６】
前記第２の上向き流導管が前記清掃ユニットに設けられる、請求項５５に記載の表面清掃装置。
【請求項５７】
前記第２の上向き流導管の前記上流端部が、前記清掃ユニットの前記下端部に近接している、請求項５５に記載の表面清掃装置。
【請求項５８】
前記上部セクションが前記直立位置にあるときに、前記第２の上向き流導管の前記上流端部が、前記清掃ユニットの前記重心の下方に位置決めされる、請求項５５に記載の表面清掃装置。
【請求項５９】
前記上部セクションが前記直立位置にあるときに、前記第２の上向き流導管の前記下流端部が、前記清掃ユニットの前記重心の上方に位置決めされる、請求項５５に記載の表面清掃装置。
【請求項６０】
前記清掃ユニットがまた前記吸引モータを含む、請求項５５に記載の表面清掃装置。
【請求項６１】
前記上部セクションが前記直立位置にあるときに、前記第２の上向き流導管の前記上流端部が、前記吸引モータの前記重心の下方に位置決めされる、請求項６０に記載の表面清掃装置。
【請求項６２】
前記上部セクションが前記直立位置および前記第２の位置の少なくとも一方にあるときに、前記第２の上向き流導管の前記下流端部が、前記吸引モータの上方に位置決めされる、請求項６０に記載の表面清掃装置。
【請求項６３】
前記上部セクションが、清掃ユニットの縦軸の方向に測定された上部セクションの高さを有し、および前記第２の上向き流導管の前記上流端部と前記第２の上向き流導管の前記下流端部との間の縦方向の間隔が、前記上部セクションの高さの約１５％〜約１００％である、請求項４３に記載の表面清掃装置。
【請求項６４】
前記第２の上向き流導管の前記上流端部と前記第２の上向き流導管の前記下流端部との間の前記縦方向の間隔が、前記上部セクションの高さの約２５％〜約８５％である、請求項６３に記載の表面清掃装置。
【請求項６５】
前記第２の上向き流導管の前記上流端部と前記清掃ユニットの前記底部との間の縦方向の間隔が、清掃ユニットの高さの約２５％未満である、請求項５５に記載の表面清掃装置。
【請求項６６】
前記第２の上向き流導管の前記上流端部と前記清掃ユニットの前記底部との間の前記縦方向の間隔が、前記清掃ユニットの高さの約１０％未満である、請求項６５に記載の表面清掃装置。
【請求項６７】
さらに、前記表面清掃ヘッドに可動式に結合された取付用ハブを含み、および前記清掃ユニットは、前記取付用ハブに取り外し可能に取り付けられている、請求項５５に記載の表面清掃装置。
【請求項６８】
前記空気処理部材が、前記第２の上向き流導管の前記下流端部と空気の流れを連通させるサイクロン式空気吸込口を有するサイクロン室を含む、請求項４３に記載の表面清掃装置。
【請求項６９】
前記サイクロン式空気吸込口が前記サイクロン室の前記底部の近くに設けられている、請求項６８に記載の表面清掃装置。
【請求項７０】
さらに床上清掃ワンドを含み、前記表面清掃装置が、前記床上清掃ワンドが前記空気流路の一部分を形成する床面清掃モード、および前記床上清掃ワンドの吸込口が、前記汚れ空気吸込口との空気流れの連通部から切り離されている床上清掃モードで、動作可能であり、および前記床上清掃ワンドは、前記可撓性導管セクションから上流に接続された吹き出し側口を有する、請求項４３に記載の表面清掃装置。
【請求項７１】
前記清掃ワンドがワンドの長さを有し、前記第２の上向き流導管が第２の上向き流導管の長さを有し、および前記第２の上向き流導管の長さが前記ワンドの長さの少なくとも３５％である、請求項７０に記載の表面清掃装置。
【請求項７２】
前記第２の上向き流導管の長さが前記ワンドの長さの少なくとも５０％である、請求項７１に記載の表面清掃装置。
【請求項７３】
前記清掃ワンドが前記上部セクションに取り付けられているとき、および前記上部セクションが前記直立位置にあるときに、前記清掃ワンドの前記吸込口が、前記第２の上向き流導管の前記上流端部の上方に、および前記第２の上向き流導管の前記下流端部の下方に位置決めされている、請求項７２に記載の表面清掃装置。
【請求項７４】
前記第２の上向き流導管が前記上部セクションに対して傾斜しているため、前記上向き流導管の前記上流端部が、前記表面清掃装置の動きの方向において、前記第２の上向き流導管の前記下流端部から離間している、請求項４３に記載の表面清掃装置。
【考案の詳細な説明】
【技術分野】
【０００１】
分野
[0001]本明細書で説明する教示の主題は、概して、真空掃除機などの表面清掃装置に関する。
【背景技術】
【０００２】
背景
[0002]真空掃除機などの表面清掃装置の様々な構造が公知である。現在、多くの表面清掃装置が、少なくとも１つのサイクロン式清掃段を使用して構築されている。空気は、汚れ空気吸込口を通して真空掃除機に引き入れられ、サイクロン式吸込口まで運ばれる。サイクロン中で空気が回転することにより、空気流中の粒子状物質の一部が、空気流の流れから外れる。次いで、この物質は、サイクロンの底部に存在し得るゴミ箱型収集室に、またはサイクロン室の外側に存在する直接的な収集室に、収集される（例えば国際公開第２００９／０２６７０９号、および米国特許第５，０７８，７６１号参照）。サイクロンから下流に、１つ以上の追加的なサイクロン式清掃段および／またはフィルタが位置決めされ得る。
【考案の概要】
【課題を解決するための手段】
【０００３】
概要
[0003]以下の概要は、下記のより詳細な説明を読者に紹介するためのものである。概要は、実用新案登録請求の範囲を限定または定義するものではない。
【０００４】
[0004]本明細書で説明する教示の広範な一態様によれば、表面清掃装置が、表面清掃ヘッドと、表面清掃ヘッドに取り付けられた上部セクションとを含む。表面清掃装置は、汚れ空気吸込口、清浄空気吹き出し口、およびそれらの間に延在する空気流路を含む。汚れ空気吸込口と清浄空気吹き出し口との間の空気流路には、吸引モータおよび空気処理部材が設けられ得る。上部セクションは、直立位置と使用中の位置との間で可動とし得る。任意選択的に、上部セクションは、表面清掃ヘッドから取り外し可能とし得る。
【０００５】
[0005]空気流路は、汚れ空気吸込口と空気の流れを連通させる第１の上向き流導管、空気処理部材と空気の流れを連通させる第２の上向き流導管、および第１の上向き流導管と第２の上向き流導管との間で空気の流れを連通させる下降流導管を含み得る。第１の上向き流導管の一部分が、取り外し可能な清掃ワンドすなわち清掃管を含み、および表面清掃モードおよび床面より上のすなわち床上清掃モードの双方で動作可能とし得る。好ましくは、下降流導管は、清掃ワンドを空気流路に流体的に接続する可撓性ホース部材を含む。可撓性ホースは、使用者が、上部セクションとは別に清掃ワンドを操作できるようにし得る。使用者が清掃ワンドを動かすとき、可撓性ホースは、上部セクションに引張力を加え得る。
【０００６】
[0006]好ましくは、第２の上向き流導管の上流端部は、上部セクションの比較的低い位置に位置決めされ、一層好ましくは、上部セクションの下端部に近接して位置決めされる。下降流導管の下流端部は、第２の上向き流導管の上流端部に結合され、かつまた、上部セクションの下端部に近接して設けられ得る。
【０００７】
[0007]この構成の利点は、可撓性ホースから上部セクションに伝えられた力が、上部セクションの下端部の方に加えられることとし得る。これにより、使用者がホースを引く場合に表面清掃装置がひっくり返る可能性を低下させるのを助け得る。これにより、使用者が清掃ワンドを使用するときに、表面清掃装置、またはその複数の部分を転倒させる代わりに、使用者の後ろについて引くことができるようにするのを助け得る。
【０００８】
[0008]この広範な態様によれば、直立型の表面清掃装置は、汚れ空気吸込口を有する表面清掃ヘッドと、汚れ空気吸込口から清浄空気吹き出し口まで延在する空気流路とを含み得る。表面清掃装置は、可撓性導管セクションと、清掃ヘッドに可動式に取り付けられ、直立位置と第２の傾斜した使用中の位置との間で可動し得る上部セクションとを含み得る。上部セクションは、汚れ空気吸込口と清浄空気吹き出し口との間の空気流路に位置決めされた空気処理部材を含み得る。表面清掃装置はまた、空気流路に位置決めされた吸引モータを含み得る。上部セクションはまた、可撓性導管セクションと空気処理部材との間の空気流路に位置決めされた上向き流導管を含み得る。上部セクションが直立位置にあるときに、可撓性導管は、可撓性導管の下流端部まで下方に延在する部分を含み、および上向き流導管は、上向き流導管の上流端部から上向き流導管の下流端部まで上方に延在し得る。
【０００９】
[0009]上部セクションが直立位置にあるときに、上向き流導管の上流端部は、表面清掃装置の重心の下方に位置決めされ、および上向き流導管の下流端部は、表面清掃装置の重心の上方にあり得る。
【００１０】
[0010]上向き流導管の上流端部は、吸引モータの位置レベルにあってもよく、および吸引モータは、直立セクションの下端部において、空気処理部材の下方に配置され得る。
【００１１】
[0011]空気処理部材は空気吸込口を含み、および上部セクションが直立位置にあるときに、上向き流導管の上流端部は、サイクロン室の空気吸込口の下方にあり得る。
【００１２】
[0012]表面清掃装置はまた、剛性の上向き流導管を含み、この剛性の上向き流導管は、表面清掃ヘッドと空気の流れを連通させて接続された上流端部から、上部セクションが直立位置にあるときに空気処理部材の上方に位置決めされる下流端部まで、上方に延在し得る。可撓性導管セクションは、剛性の上向き流導管の下流端部と上向き流導管の上流端部との間に位置決めされ得る。
【００１３】
[0013]剛性の上向き流導管の下流端部は、上部セクションに駆動式に接続されたハンドルを含み得る。
【００１４】
[0014]空気処理部材は、サイクロン室と、サイクロン室の下方に少なくとも部分的に配置されてサイクロン室からゴミを受け入れる集塵室を含み得る。集塵室は、底端壁を有してもよく、および上部セクションが直立位置にあるときに、上向き流導管の上流端部は、集塵室の底端壁の下方にあってもよい。
【００１５】
[0015]可撓性導管の下流端部は、上向き流導管の上流端部に対して回転可能とし得る。
【００１６】
[0016]表面清掃装置はまた、可撓性導管と上向き流導管との間に配置された、湾曲した導管部材を含み、および湾曲した導管部材の少なくとも一方の端部には、回転可能な結合部が設けられ得る。
【００１７】
[0017]湾曲した導管部材は、上向き流導管の上流端部および可撓性導管の下流端部の少なくとも一方に、回転可能に結合される。
【００１８】
[0018]湾曲した導管部材の吸込側口は、可撓性導管の下流端部に回転可能に結合され得る。湾曲した導管部材の吹き出し側口が、上向き流導管の上流端部に回転可能に結合され得る。
【００１９】
[0019]湾曲した導管部材の吸込側口および吹き出し側口は、異なる方向に向けられてもよい。
【００２０】
[0020]上部セクションは清掃ユニットを含み、および清掃ユニットは、少なくとも空気処理部材を含み得る。
【００２１】
[0021]上向き流導管は清掃ユニットに設けられ得る。
【００２２】
[0022]上向き流導管の上流端部は、清掃ユニットの下端部に近接して位置決めされ得る。
【００２３】
[0023]上部セクションが直立位置にあるときに、上向き流導管の上流端部は、清掃ユニットの重心の下方に位置決めされ得る。
【００２４】
[0024]上向き流導管の上流端部は、清掃ユニットの下端部に近接している。
【００２５】
[0025]上部セクションが直立位置にあるときに、上向き流導管の下流端部は、清掃ユニットの重心の上方に位置決めされ得る。
【００２６】
[0026]清掃ユニットはまた、吸引モータを含み得る。
【００２７】
[0027]上向き流導管の上流端部は、上部セクションが直立位置にあるときに、吸引モータの重心の下方に位置決めされてもよいし、および上部セクションが直立位置にあるときに、吸引モータの上方に位置決めされてもよい。
【００２８】
[0028]清掃ユニットは、清掃ユニットの縦軸の方向に測定された清掃ユニットの高さを有し、および上向き流導管の上流端部と上向き流導管の下流端部との間の縦方向の間隔は、上部セクションのユニットの高さの約１５％〜約１００％とし得る。
【００２９】
[0029]上向き流導管の上流端部と上向き流導管の下流端部との間の縦方向の間隔は、上部セクションのユニットの高さの約３５％〜約８５％である。
【００３０】
[0030]上向き流導管の上流端部と清掃ユニットの底部との間の縦方向の間隔は、上部セクションのユニットの高さの約２５％未満とし得る。
【００３１】
[0031]上向き流導管の上流端部と清掃ユニットの底部との間の縦方向の間隔は、上部セクションの高さの約１０％未満とし得る。
【００３２】
[0032]表面清掃装置はまた、表面清掃ヘッドに可動式に結合された取付用ハブを含み、および清掃ユニットは、取付用ハブに取り外し可能に取り付けられ得る。
【００３３】
[0033]清掃ユニットが表面清掃ヘッドから分離されているときに、清掃ユニットは、清掃ユニットを支持するように構成された少なくとも１つの清掃ユニット支持部材を含み得る。
【００３４】
[0034]少なくとも１つの清掃ユニット支持部材は、少なくとも１つの車輪を含み得る。
【００３５】
[0035]空気処理部材は、上向き流導管の下流端部と流れを連通させるサイクロン式空気吸込口を有するサイクロン室を含み得る。
【００３６】
[0036]空気処理部材は、サイクロン室および集塵室を含むサイクロン式ゴミ箱組立体を含み得る。
【００３７】
[0037]サイクロン式空気吸込口は、サイクロン室の底部の近くに設けられ得る。
【００３８】
[0038]表面清掃装置は床上清掃ワンドを含んでもよく、表面清掃装置は、床上清掃ワンドが空気流路の一部分を形成する床面清掃モード、および床上清掃ワンドの吸込口が、汚れ空気吸込口との空気流れの連通部から切り離され得る床上清掃モードで、動作可能とし得る。床上清掃ワンドは、可撓性導管セクションから上流に接続された吹き出し側口を有し得る。
【００３９】
[0039]表面清掃装置は、床上清掃ワンドに接続されたハンドルを含み、および表面清掃装置が床面清掃モードにあるとき、ハンドルおよび床上清掃ワンドは、表面清掃ヘッドに駆動式に接続され得る。
【００４０】
[0040]ハンドルは、第１の把持部材および別個の第２の把持部材を含み得る。第１の把持部材は、第１の方向に延在し、および第２の把持部材は、第１の方向に対してある角度をなす第２の方向に延在し得る。
【００４１】
[0041]第２の把持部材は、第１の把持部材に対して約１５度〜約７５度の角度に向けられ得る。
【００４２】
[0042]表面清掃装置が直立位置にあるとき、第２の把持部材はほぼ垂直としてもよく、および第１の把持部材は、水平から約３０度以内にある。
【００４３】
[0043]第２のグリップは、ハンドルの前方部に設けられ、かつ上部セクションが直立位置にあるときに、ほぼ垂直とし得る。
【００４４】
[0044]ハンドルは、清掃ワンドの吹き出し側口に近接して設けられ得る。
【００４５】
[0045]清掃ワンドは、そのワンドの長さを有し、上向き流導管は、上向き流導管の長さを有し、および上向き流導管の長さは、ワンドの長さの少なくとも３５％とし得る。
【００４６】
[0046]上向き流導管の長さは、ワンドの長さの少なくとも５０％とし得る。
【００４７】
[0047]清掃ワンドは、上部セクションに取り付けられてもよく、および上部セクションが直立位置にあるときに、清掃ワンドの吸込口は、上向き流導管の上流端部と下流端部との間に垂直に位置決めされる。
【００４８】
[0048]上向き流導管は、上部セクションに対して傾斜しているため、上向き流導管の上流端部は、表面清掃装置の動きの方向において上向き流導管の下流端部から離間し得る。
【００４９】
[0049]直立型すなわち縦型の表面清掃装置は、汚れ空気吸込口を有する表面清掃ヘッドと、汚れ空気吸込口から清浄空気吹き出し口まで延在する空気流路とを含み得る。上部セクションは、表面清掃ヘッドに可動式に取り付けられ、および直立位置と第２の傾斜した使用中の位置との間で可動とし得る。上部セクションは、汚れ空気吸込口と清浄空気吹き出し口との間の空気流路に位置決めされた空気処理部材、および空気流路に位置決めされた吸引モータを含み得る。上部セクションが直立位置にあるときに、空気流路は、剛性の第１の上向き流導管であって、表面清掃ヘッドと流体の流れを連通させる剛性の第１の上向き流導管の上流端部と、空気処理部材の上方に位置決めされる剛性の第１の上向き流導管の下流端部との間に延在する剛性の第１の上向き流導管、第２の上向き流導管であって、上部セクションの下端部に近接して位置決めされる第２の上向き流導管の上流端部から、第２の上向き流導管の上流端部の上方に位置決めされる第２の上向き流導管の下流端部まで上方に延在する第２の上向き流導管、および第１の上向き流導管の下流端部と第２の上向き流導管の上流端部との間に延在する下降流導管とを含み得る。
【００５０】
[0050]第２の上向き流導管の下流端部は、空気処理部材の空気吸込口に近接し得る。
【００５１】
[0051]第１の上向き流導管、第２の上向き流導管および下降流導管は、空気処理部材の外部にあり得る。
【００５２】
[0052]上部セクションが直立位置にあるときに、第２の上向き流導管の上流端部は、表面清掃装置の重心の下方に位置決めされ得る。
【００５３】
[0053]上部セクションが直立位置にあるときに、第２の上向き流導管の下流端部は、表面清掃装置の重心の上方に位置決めされ得る。
【００５４】
[0054]下降流導管および第２の上向き流導管の少なくとも一方が、可撓性ホースを含み得る。
【００５５】
[0055]空気処理部材は空気吸込口を含んでもよく、および上部セクションが直立位置にあるときに、第２の上向き流導管の上流端部は、サイクロン室の空気吸込口の下方にあるとし得る。
【００５６】
[0056]空気処理部材は、サイクロン室と、サイクロン室の下方に少なくとも部分的に配置されてサイクロン室からゴミを受け入れる集塵室とを含み得る。集塵室は底端壁を有してもよく、および上部セクションが直立位置にあるときに、第２の上向き流導管の上流端部は、集塵室の底端壁の下方にあるとし得る。
【００５７】
[0057]下降流導管の下流端部は、第２の上向き流導管の上流端部に対して回転可能とし得る。
【００５８】
[0058]表面清掃装置はまた、下降流導管と第２の上向き流導管との間に配置された、湾曲した導管部材を含み、および湾曲した導管部材の少なくとも一方の端部には、回転可能な結合部が設けられ得る。
【００５９】
[0059]湾曲した導管部材は、第２の上向き流導管の上流端部および下降流導管の下流端部の少なくとも一方に回転可能に結合され得る。
【００６０】
[0060]湾曲した導管部材の吸込側口および吹き出し側口は、異なる方向に向けられてもよい。
【００６１】
[0061]上部セクションは清掃ユニットを含み、および清掃ユニットは空気処理部材を含み得る。
【００６２】
[0062]第２の上向き流導管は清掃ユニットに設けられ得る。
【００６３】
[0063]第２の上向き流導管の上流端部は、清掃ユニットの下端部に近接し得る。
【００６４】
[0064]上部セクションが直立位置にあるときに、第２の上向き流導管の上流端部は、清掃ユニットの重心の下方に位置決めされ得る。
【００６５】
[0065]上部セクションが直立位置にあるときに、第２の上向き流導管の下流端部は、清掃ユニットの重心の上方に位置決めされ得る。
【００６６】
[0066]清掃ユニットはまた、吸引モータを含み得る。
【００６７】
[0067]上部セクションが直立位置にあるときに、第２の上向き流導管の上流端部は、吸引モータの重心の下方に位置決めされ得る。
【００６８】
[0068]上部セクションが、直立位置および第２の位置の少なくとも一方にあるときに、第２の上向き流導管の下流端部は、吸引モータの上方に位置決めされ得る。
【００６９】
[0069]上部セクションは、清掃ユニットの縦軸の方向に測定された上部セクションの高さを有し、および第２の上向き流導管の上流端部と第２の上向き流導管の下流端部との間の縦方向の間隔は、上部セクションの高さの約１５％〜約１００％とし得る。
【００７０】
[0070]第２の上向き流導管の上流端部と第２の上向き流導管の下流端部との間の縦方向の間隔は、上部セクションの高さの約２５％〜約８５％とし得る。
【００７１】
[0071]第２の上向き流導管の上流端部と清掃ユニットの底部との間の縦方向の間隔は、清掃ユニットの高さの約２５％未満とし得る。
【００７２】
[0072]第２の上向き流導管の上流端部と清掃ユニットの底部との間の縦方向の間隔は、清掃ユニットの高さの約１０％未満とし得る。
【００７３】
[0073]取付用ハブは表面清掃ヘッドに可動式に結合され、および清掃ユニットは、取付用ハブに取り外し可能に取り付けられ得る。
【００７４】
[0074]空気処理部材は、第２の上向き流導管の下流端部と空気の流れを連通させるサイクロン式空気吸込口を有するサイクロン室を含み得る。
【００７５】
[0075]サイクロン式空気吸込口は、サイクロン室の底部の近くに設けられ得る。
【００７６】
[0076]表面清掃装置はまた、床上清掃ワンドを含み得る。表面清掃装置は、床上清掃ワンドが空気流路の一部分を形成する床面清掃モード、および床上清掃ワンドの吸込口が、汚れ空気吸込口との空気流れの連通部から切り離されている床上清掃モードで、動作可能とし得る。床上清掃ワンドは、可撓性導管セクションから上流に接続された吹き出し側口を有し得る。
【００７７】
[0077]清掃ワンドは、ワンドの長さを有し、第２の上向き流導管は、第２の上向き流導管の長さを有し、および第２の上向き流導管の長さは、ワンドの長さの少なくとも３５％とし得る。
【００７８】
[0078]第２の上向き流導管の長さは、ワンドの長さの少なくとも５０％とし得る。
【００７９】
[0079]清掃ワンドは上部セクションに取り付けられ、および上部セクションが直立位置にあるときに、清掃ワンドの吸込口は、第２の上向き流導管の上流端部の上方に、および第２の上向き流導管の下流端部の下方に位置決めされ得る。
【００８０】
[0080]第２の上向き流導管は、上部セクションに対して傾斜し得るため、上向き流導管の上流端部は、表面清掃装置の動きの方向において第２の上向き流導管の下流端部から離間している。
【００８１】
図面
[0081]詳細な説明において、添付の図面を参照する。
【図面の簡単な説明】
【００８２】
【図１】表面清掃装置の例の斜視的な前面図である。
【図２】図１の表面清掃装置の斜視的な後面図である。
【図３】図１の表面清掃装置の側面図である。
【図４】図１の表面清掃装置の一部分の斜視的な前面図である。
【図５】図１の表面清掃装置と使用可能なサイクロン式ゴミ箱組立体の斜視的な後面図である。
【図６】図１の表面清掃装置の一部分の斜視的な後面図である。
【図７】図１の表面清掃装置の一部分の後面図である。
【図８】図１の表面清掃装置の一部分の側面図である。
【図９】図１の表面清掃装置の一部分の斜視的な底面図である。
【図１０】図１の表面清掃装置で使用可能な表面清掃ヘッドの斜視的な上面図である。
【図１１】補助清掃モードにおける、図１の表面清掃装置の一部分の斜視図である。
【図１２】補助清掃モードにおける、図１の表面清掃装置の斜視図である。
【図１３】表面清掃装置の別の例の斜視的な前面図である。
【図１４】図１３の表面清掃装置の側面図である。
【図１５】図１３の表面清掃装置の背面図である。
【図１６】図１３の表面清掃装置の一部分の斜視的な後面図である。
【図１７】図１３の表面清掃装置の一部分の斜視的な前面図である。
【図１８】図１３の表面清掃装置の一部分の斜視的な後面図である。
【図１９】図１３の表面清掃装置の一部分の斜視的な前面図である。
【考案を実施するための形態】
【００８３】
[00102]適切であると考えられる場合、いくつかの図面にわたって参照符号を繰り返して使用し、対応するまたは同様の要素を示すことがある。
【００８４】
詳細な説明
[00103]以下、様々な装置またはプロセスを説明して、実用新案登録請求される各考案の実施形態の例を提供する。以下説明する実施形態は、実用新案登録請求される考案をなんら限定するものではなく、およびいずれの実用新案登録請求される考案も、以下説明するものとは異なるプロセスまたは装置を網羅する。実用新案登録請求される考案は、以下説明する任意の１つの装置またはプロセスの特徴を全て有する装置またはプロセスに、または以下説明する装置の複数または全てに共通する特徴に限定されない。以下説明する装置またはプロセスは、実用新案登録請求されるいずれかの考案の実施形態ではないことが可能である。本明細書において実用新案登録請求されない、以下説明する装置またはプロセスに開示されるいずれかの考案は、実用新案登録で保護されるべき別の手段、例えば、継続出願の主題としてもよく、および本出願人ら、本考案者ら、または本所有者らは、本明細書におけるその開示によって、公開された任意のそのような考案を放棄、拒否するものでも、またはそれに専念するものでもない。
【００８５】
[00104]図１を参照すると、表面清掃装置の実施形態が示されている。図示の実施形態では、表面清掃装置１００は、直立型すなわち縦型の表面清掃装置である。代替的な実施形態では、表面清掃装置は、例えば、ハンド型掃除機、キャニスター型真空掃除機、スティックタイプの掃除機、乾湿両用真空掃除機およびカーペットエクストラクタを含む、別の好適なタイプの表面清掃装置とし得る。
【００８６】
[00105]図１に示されるように、表面清掃装置１００は、表面清掃ヘッド１０２および上部セクション１０４を含む直立型の真空掃除機である。表面清掃ヘッド１０２には汚れ空気吸込口１０６が設けられ得る。任意選択的に、上部セクション１０４は、少なくとも空気処理部材１１０と、吸引モータ（図示せず）を含む吸引モータハウジング１１２と、任意選択的に複数の他の構成要素とを含む清掃ユニット１０８を含むように構成し得る。あるいは、吸引モータは、任意の他の好適な場所に設けられてもよい。
【００８７】
[00106]任意選択的に、上部セクション１０４または少なくともその一部分は、表面清掃ヘッド１０２から取り外し可能とし得る（例えば図８および図１０参照）。あるいは、上部セクションは、表面清掃ヘッドから取り外し可能でなくてもよい。
【００８８】
[00107]好ましくは、清掃ユニットは、清浄空気吹き出し口１１４を含んでもよく、および汚れ空気吸込口１０６と清浄空気吹き出し口１１４との間に空気流路１１６が延在し、かつ流体的に接続し得る。あるいは、清浄空気吹き出し口は別の場所に設けられてもよい。
【００８９】
[00108]任意選択的に、表面清掃装置は、２つ以上の清掃モードで動作し得る。異なる動作モードで動作する多用途性は、複数の方法で達成され、および清掃ユニットを表面清掃ヘッドから分離できるようにすることによって達成され得る。その代わりに、またはそれに加えて、上部セクションの少なくとも一部分を取り外すことおよび／または再構成することができるようにすることによって、さらなる多用途性が達成され得る。例えば、上部セクションに設けられた空気流路の複数の部分は、空気流路を変更するように再構成可能とし得る。
【００９０】
[00109]例えば、表面清掃装置１００は、清掃ユニット１０８が表面清掃装置１００に機械的および流体的に接続され、かつ空気流路１１６が表面清掃ヘッド１０２の汚れ空気吸込口１０６と清浄空気吹き出し口１１４との間に延在する表面清掃モードで動作可能とし得る（例えば図１参照）。表面清掃装置１００はまた、清掃ユニット１０８が表面清掃ヘッド１０２から取り外されている補助清掃モードで動作可能とし得る（例えば図８参照）。補助清掃モードでは、空気流路１１４は、異なる汚れ空気吸込口（例えば補助清掃ワンドすなわち補助清掃管１５４の吸込口１０６ａ、清掃具または他の好適な空気吸込口−図１１参照）から清浄空気吹き出し口１１４まで延在し得る。好ましくは、この構成では、第２の汚れ空気吸込口１０６ａの位置、例えば清掃ワンド１５４の端部は、清掃ユニットに対して調整可能である。
【００９１】
[00110]表面清掃装置１００を操作するために、ハンドル１１８が、好ましくは上部セクション１０４に駆動式に接続されている。ハンドル１１８は、使用者が把持し得る任意の好適な構成のものとし得る。ハンドル１１８は、上部セクション１０４の上部に位置決めされている例として示すが、表面清掃装置１００の任意の他の好適な箇所に設けられ得る。表面清掃装置１００がその直立位置にある場合、表面清掃ヘッド１０２の底部１２２と上部セクション１０４の上部、この場合ハンドルの上端部１２４との間の垂直距離１２０は、表面清掃装置の高さ１２０を規定する。高さ１２０は任意の好適な距離とし、および約１メートル〜２メートルとし得る。
【００９２】
[00111]表面清掃ヘッド１０２は、例えば、回転ブラシを有する電動清掃ヘッド、およびブラシレス清掃ヘッドを含む、任意の好適なタイプの清掃装置とし得る。表面清掃ヘッド１０２は、任意の好適な構成のものとしてよく、および掃除される表面に接触する少なくとも１つの車輪または他の転がり支持体を含み得る。
【００９３】
[00112]図示の例では、表面清掃ヘッド１０２は、表面上を縦横に転がるために一対の後輪１２６および一対の前輪（任意選択的にキャスタータイプの車輪（図示せず））を含み、かつ前端部には汚れ空気吸込口１０６が設けられている。
【００９４】
[00113]表面清掃装置が直立型の表面清掃装置である場合、上部セクション１０４は、当業界で公知の任意の手段によって、表面清掃ヘッド１０２に可動式に接続され得る。図１０に示すように、任意選択的に、表面清掃装置１００は、（任意の好適な構成の）取付用ハブ１２８または他の好適な構造体を含んでもよく、および上部セクション１０４は、取付用ハブ１２８に取り外し可能に取り付けることができる。好ましくは、取付用ハブ１２８は、任意の好適なピボット状軸関節を使用して表面清掃ヘッド１０２に旋回可能に結合され得るため、取付用ハブ１２８および上部セクション１０４の双方を、例えばピボット軸１３０の周りで、表面清掃ヘッド１０２に対して旋回させることができる。任意選択的に、上部セクション１０４は、取付用ハブ１２８に回転可能に結合でき、および／または取付用ハブ１２８の少なくとも一部分は、例えばピボット軸１３２の周りで、表面清掃ヘッド１０２に対して回転可能とし得る。この構成によって、少なくとも表面清掃装置１００の使用時に、上部セクション１０４を表面清掃ヘッド１０２に対して回転させることができるようにし得る。好ましくは、上部セクション１０２は、直立または保管位置と使用中の位置との間で少なくとも可動である（例えば、表面清掃ヘッドにピボット式に取り付けられる）。
【００９５】
[00114]図１０に示すように、図示の例では、表面清掃装置１００は、外側ハウジング１３４を有する取付用ハブ１２８を含み、この外側ハウジングは、上方に面する支持面１３６を提供するように構成されており、この支持面に、上部セクション１０４の対応する部分を載置できる。例えば、図９に示すように、上部セクション１０４は、下方に面する支承面１３８を含むことができ、この支承面は、支持面１３６を係合するように構成されている。
【００９６】
[00115]任意選択的に、取付用ハブ１２８は、表面清掃装置１００の１つ以上のサービスまたは構成要素のために接続部１４０を設けるように構成できる。これにより、上部セクション１０４が取付用ハブ１２８に取り付けられているとき、真空の空気の流れおよび／または電力などの複数のサービスを、上部セクション１０４と表面清掃ヘッド１０２との間で伝えることを可能にし得る。好ましくは、設けられた接続部１４０は、別個のアクチュエータまたはトリガ機構を必要とすることなく、上部セクション１０４の配置および取り外しによってそれぞれ自動的に係合および／または係合解除できるように、再構成される。あるいは、複数のスイッチ、弁および他の好適なハードウェアを設けることができる。
【００９７】
[00116]図示の例では、取付用ハブ１２８は、取付ポスト１４２および電気コネクタ１４４を含む。この例では、取付ポスト１４２は、中空の導管部材であり、かつ任意選択的に、汚れ空気吸込口１０６と清浄空気吹き出し口１１４との間に延在する空気流路１１６の一部分を形成し得る。この構成では、取付ポスト１４２は、表面清掃ヘッド１０２と上部セクション１０４との間の流体接続を提供し得る。あるいは、取付用ハブ１２８は、別個の取付部材および空気流れ用部材を含み得る。
【００９８】
[00117]上部セクション１０４が支持台１３６に取り付けられるとき、取付ポスト１４２は、清掃ユニット１０８の底部にある、対応する凹部１４６に少なくとも部分的に収容される。凹部１４６は、他の導管部材と流体連通して、空気流路１１６を完成するのを助け得る。取付ポスト１４２および凹部１４６は、全体的に円形の断面形状を有するものとして示すが、例えば、矩形および多角形を含む、任意の他の好適な、対応する断面形状としてもよい。任意選択的に、凹部１４６内には締結具（例えば戻り止めまたは他の好適な締結具（図示せず））が設けられて、凹部内に取付ポスト１４２を選択的にロックし得る。これにより、表面清掃ヘッド１０２を清掃ユニット１０８に固定するのを支援し得る。任意選択的に、そのような接続は、表面清掃ヘッド１０２を清掃ユニット１０８に解放可能に固定するために使用された唯一のロッキング機構とし得る。取付ポスト１４２（または取付用ハブの任意の他の好適な部分）を係合するために締結具が設けられる場合、上部１０４に任意の好適な締結解放トリガ装置が設けられ得る。トリガ装置の作動によって、凹部１４６内に取付ポスト１４２を固定している締結具を解放し、それにより、清掃ユニット１０８を表面清掃ヘッド１０２から持ち上げることができるようにし得る。
【００９９】
[00118]電気コネクタ１４４は、上部セクションに設けられた、任意選択的な対応する電気コネクタ１４８とかみ合うように構成できる任意の好適な電気コネクタとし得る。図示の例では、表面清掃ヘッドの電気コネクタ１４４はプロング１５０を含み、および上部セクションの電気コネクタ１４８は、プロング１５０を収容するために、対応するソケットを含む。他のタイプの電気コネクタを使用できる。
【０１００】
[00119]図１〜３を参照すると、図示の例では、上部セクション１０４は、空気処理部材１１０と、好ましくは空気処理部材１１０の下方に位置決めされる吸引モータハウジング１１２とを含む清掃ユニット１０８を含む。あるいは、上部セクション１０４は任意の好適な構成のものとし得る。
【０１０１】
[00120]空気処理部材１１０は、汚れ空気吸込口１０６から下流の空気流路に位置決めされて、空気流路１１６を流れる空気からゴミの粒子および他のデブリすなわち破片を除去し得る。空気処理部材１１０は、本明細書に開示した特徴のうちのいずれか１つ以上を含む任意の好適なタイプの処理部材としてもよく、および、例えば、空気流路１１６を流れる空気からゴミを分離するのを助け得る袋、フィルタ、１つ以上のサイクロンおよび任意の他の装置を含み得る。図示の例では、空気処理部材は、サイクロン式ゴミ箱組立体１１０を含む。
【０１０２】
[00121]清浄空気吹き出し口１１４は、清掃ユニット１０８に設けられ、かつ吸引モータから下流に位置決めされ得る。任意選択的に、清浄空気吹き出し口１１４に１つ以上のフィルタまたは濾過部材、例えばＨＥＰＡフィルタが設けられ得る。清浄空気吹き出し口１１４に格子１５２（図３）、または他の好適なカバー部材が設けられて、任意のそのようなフィルタを含むのを助け得る。任意選択的に、格子１５２は開放可能、または好ましくは取り外し可能として、清浄空気吹き出し口１１４においてフィルタにアクセスできるようにし得る。
【０１０３】
[00122]任意選択的に、清掃ユニット１０８は、表面清掃ヘッド１０２から取り外し可能な、全体的に内蔵型のユニットまたはポッドとして構成し得る。この構成では、清掃ユニット１０８は、好ましくは、少なくとも空気処理部材１１０および吸引モータを含むように構成され、かつ空気処理部材１１０と連通する補助汚れ空気吸込口を提供するように再構成され得る。
【０１０４】
[00123]例えば、上部１０４は、取り外し可能な、床面より上のすなわち床上清掃ワンド１５４（または任意の他の好適な補助清掃具）を含み得る。図１１および図１２に示すように、清掃ワンド１５４は吸込口１５６を含み、この吸込口は、清掃ユニット１０８から取り外しできるかまたは分離でき、かつ補助汚れ空気吸込口１０６ａの機能を果たし得る。この構成では、清掃ユニット１０８は、図１１に示すように、表面清掃ヘッド１０２から分離されるときに、スタンドアロン型の清掃装置として動作し得る。例えば、使用者は、表面清掃ヘッド１０２から清掃ユニット１０８を分離し、床上清掃ワンド１５４を用いて、家具、窓カバー、天井の隅および任意の他のそのような特徴的形体を掃除したいかもしれない。表面清掃ヘッド１０２を取り外すことによって、使用者が表面清掃ヘッド１０２の重量部分を持ち上げる必要なく、使用者が清掃ユニット１０８のみを持ち運ぶことができるようにし得る。
【０１０５】
[00124]あるいは、図１２に示すように、表面清掃ヘッド１０２が清掃ユニット０８に猶も取り付けられているときには、使用者は清掃ワンド１５４を取り外して使用したいかもしれない。この場合、使用者が清掃ワンド１５４を操作している間、表面清掃ヘッド１０２上に清掃ユニット１０８を支持できるようにし得る。
【０１０６】
[00125]清掃ユニット１０８にはハンドルが設けられて、使用者が、清掃ユニット１０８が表面清掃ヘッドから分離されているときに清掃ユニットを掴んで操作するのを支援し得る。任意選択的に、清掃ユニット１０８に設けられたハンドルは、主ハンドル１１８から分離される補助ハンドル、例えばハンドル１５６とし得る。ハンドル１５６は、任意の好適な構成としてもよく、および清掃ユニット１０８の任意の好適な個所に設けられ得る。任意選択的に、ハンドル１５６は、サイクロン式ゴミ箱組立体１１０に設けられてもよく、かつまた、サイクロン式ゴミ箱組立体が清掃ユニット１０８から分離されているとき（図５参照）、サイクロン式ゴミ箱組立体１１０を運ぶために使用されて、例えば、サイクロン式ゴミ箱組立体１１０からゴミを空にし得る。あるいは、清掃ユニット１０８に２つ以上のハンドルが設けられてもよい。
【０１０７】
[00126]図示の例では、図５に示すように、空気処理部材は、サイクロン室１５８および集塵室１６０を含むサイクロン式ゴミ箱組立体１１０を含み得る。同様に図４を参照すると、図示の例では、吸引モータ（図示せず）を収容するように吸引モータハウジング１１２が構成される。好ましくは、図示の通り、吸引モータは、サイクロン式ゴミ箱組立体１１０から下流の空気流路１１６と空気の流れが連通し得る。吸引モータは、任意の好適なモータとしてもよく、および例えば、吸引力、動作騒音、消費電力および物理的なサイズを含む複数の要素に基づいて選択され得る。ハウジング１１２は、選択した吸引モータに適合し、かつサイクロン式ゴミ箱組立体１１０にかみ合い、かつ任意選択的にそれを支持するように形成され得る。
【０１０８】
[00127]好ましくは、清掃ユニット１０８は、サイクロン式ゴミ箱組立体１１０が清掃ユニットの一方の端部の方、図８に示すように上部の方に設けられ、および吸引モータが清掃ユニットの他方の端部の方、すなわち清掃ユニット１０８の底部の方に設けられ得るように、構成され得る。この構成では、サイクロン式ゴミ箱組立体の上部（この場合、サイクロン室１５８の上端壁を含む平面１６４から測定される）と、下方に向く支承面１３８（または支承面１３８を含む平面１６６）との間の距離１６２は、清掃ユニットの高さ１６２を規定する。他の構成では、高さは、清掃ユニットの最上部分と最下部分との間に規定され得る。
【０１０９】
[00128]任意選択的に、支承面１３８は、清掃ユニット１０８が表面清掃ヘッド１０２から取り外されているときに、床、または他のそのような表面に載置されるように構成された１つ以上の支持部材を含み得る。例えば、使用者は、清掃過程の間中、清掃ユニット１０８を保持するのではなく、掃除中の物体、例えば所与の家具の隣の床に清掃ユニット１０８を載置したいかもしれない。清掃ユニット１０８に支持部材を設けることによって、清掃ユニット１０８の安定性を向上させるのに役立ち、かつ清掃ユニットの複数の部分、例えば電気ソケット１４８を衝撃および／または損傷から保護するのに役立ち得る。図９に示すように、この構成では、支持部材は、清掃ユニット１０８から延出する１つ以上の支持脚部１６８を含み得る。任意選択的に、支持脚部１６８は、清掃ユニット１０８と一体的に形成されてもよいし、または清掃ユニット１０８に取り付けることができる別個の部材として提供されてもよい。
【０１１０】
[00129]任意選択的に、支持部材は、支持脚部に加えてまたはその代替として、少なくとも１つの車輪または他のタイプの転がり支持部材を含み得る。少なくとも１つの転がり支持部材を設けることによって、表面清掃ヘッド１０２に清掃ユニット１０８を取り付ける必要なく、清掃ユニット１０８を床面上で縦横に転がすことができるようにし得る。この構成は、使用者が清掃ユニット１０８を持ち上げずに床面上で縦横に転がすことができるようにし得る、および／または清掃ユニット１０８を、使用時に使用者の後ろについて引っ張ることができるようにし得る。
【０１１１】
[00130]清掃ユニット１０８が表面清掃ヘッド１０２に取り付けられているとき、清掃ユニット支持部材、例えば脚部１６８は、取付用ハブ１２８に少なくとも部分的に入れられても、または他の方法で収容されてもよいし、または取付用ハブ１２８の外部にあってもよい。
【０１１２】
[00131]サイクロン式ゴミ箱組立体１１０は任意の好適な設計のものとし得る。例えば、サイクロン式ゴミ箱組立体は、任意の好適な構成、サイズおよび形状のものとし得る。サイクロン室は、例えば、直立型サイクロン、倒立型サイクロンおよび水平または横型サイクロンを含む複数の異なる構成に構成し、かつ任意選択的に２つ以上のサイクロンを含み得る。図５に示すように、図示の例では、サイクロン式ゴミ箱組立体１１０は、倒立型サイクロン室として構成されたサイクロン室１５８と、サイクロン室１５８の下方に配置された集塵室１６０とを含む。好ましくは、集塵室１６０はサイクロン室１５８と協働し、かつ表面清掃装置１００の残りの部分に接続するように構成され得る。サイクロン室１５８は、集塵室１６０と一体的に形成されても、または任意選択的に集塵室１６０から分離可能としてもよい。
【０１１３】
[00132]好ましくは、サイクロン式ゴミ箱組立体１００の少なくとも一部分は、集塵室１６０を空にするのを容易にするのを助けるために、表面清掃装置１００の上部セクション１０４から取り外すことが可能である。一層好ましくは、図５に示すように、サイクロン式ゴミ箱組立体１１０全体が取り外し可能である。サイクロン式ゴミ箱組立体１１０の上部１７０および底部１７２の少なくとも一方または双方を空にするおよび／または検査するのを容易にするのを支援するために、サイクロン式ゴミ箱組立体は、サイクロン室１５８および／または集塵室１６０の内部へのアクセスを提供するように、開放可能とし得る。
【０１１４】
[00133]任意選択的に、サイクロン式ゴミ箱組立体１１０の一部または全ては、透明または半透明の材料、例えばプラスチックから形成されるため、使用者は、サイクロン式ゴミ箱組立体１１０を開放または分解する必要なく、サイクロン式ゴミ箱組立体１１０の中身、例えば集塵室１６０の中身を視覚的に検査し得る。これにより、また、使用者が、表面清掃装置１００の使用中にサイクロン式ゴミ箱組立体１１０の内部を検査できるようにする。
【０１１５】
[00134]好ましくは、サイクロン室１５８の上部１７０を蓋１７４が覆っている。任意選択的に、蓋１７４の内面は、サイクロン室１５８の第１の端壁を形成し得る。好ましくは、蓋１７４は、開放可能であり、および／または当業界で公知の任意の手段によって、サイクロン式ゴミ箱組立体１１０から取り外し可能である。
【０１１６】
[00135]蓋１７４を開くことによって、使用者が、サイクロン室１５８の内部にアクセスして、例えば掃除することができるようにし得る。蓋１７４は、例えばヒンジ１７６を含む任意の好適な機構によって、サイクロン式ゴミ箱組立体１１０に旋回可能に接続され、かつ閉鎖構成と開放構成との間で可動とし得る。蓋１７４は、当業界で公知の任意の手段、例えば解放可能なラッチ１７８（図１）によって閉鎖位置に保持され得る。ハンドル１５６は蓋１７４に設けられ得る。
【０１１７】
[00136]好ましくは、サイクロン室１５８の側壁１８２には接線方向に空気吸込口１８０が設けられ、かつこの接線方向の空気吸込口は、汚れ空気吸込口１０６または１０６ａと流体連通している。接線方向の空気吸込口１８０は、任意の好適な設計および／または断面領域のものとしてよく、およびサイクロン室１５８の側壁１８２に沿って任意の好適な個所に設けられ得る。空気吸込口１８０を経由してサイクロン室１５８に流入する空気は、サイクロン室１５８の内部を循環するため、ゴミの粒子および他のデブリが循環空気の流れから外れて除かれ得る。
【０１１８】
[00137]集塵室１６０は、サイクロン室１５８によって汚れ空気の流れから分離されるゴミおよびデブリを収容して保持するために設けられ得る。集塵室１６０は、所与のサイクロン室１５８に適合し得る任意の好適な構成のものとし、かつ、例えばプラスチックおよび金属を含む任意の好適な材料から形成し得る。サイクロン室１５８内を循環する空気の少なくとも一部分は、サイクロン式ゴミ箱組立体の使用時に、集塵室に流入してその内部を循環し得る。集塵室１６０内を循環後、空気は、サイクロン室１５８に戻るように流れて、サイクロン室１５８の空気吹き出し口（図示せず）を経由して出る。
【０１１９】
[00138]任意選択的に、集塵室１６０は、単一の一体的に形成された室としてもよく、および／または任意の好適な断面形状のものとしてもよく、およびその高さに沿って様々な断面形状を有してもよい。
【０１２０】
[00139]空気流路１１６は、汚れ空気吸込口１０６および／または１０６ａから、好ましくは上部セクション１０４に設けられた清浄空気吹き出し口１１４まで延在する。空気流路１１６は、表面清掃装置を通る空気の流れを方向付けるために協働し得る剛性導管、可撓性導管、室および他の形体の任意の好適な組み合わせを含み得る。上部セクション１０４は、様々な構成としてもよく、および空気流路１１６は、上部セクション１０４および／または清掃ユニット１０８の内部および／または周りの複数の異なる経路を移動するように構成し得る。
【０１２１】
[00140]好ましくは、空気流路１１６は、少なくとも２つの異なる動作構成に位置決めし得る、再構成可能な空気流路である。
【０１２２】
[00141]好ましくは、空気流路１１６は、少なくとも１つの可撓性導管セクションを含む。可撓性導管セクションを設けることによって、空気流路の再構成を容易するのを助け得る。任意選択的に、可撓性導管セクションは、２つの全体的に剛性の導管セクション間に位置決めできる。好ましくは、可撓性導管セクションは、少なくとも１つの可撓性ホースを含み得る。あるいは、空気流路は、導管部材の任意の好適な組み合わせを含み得る。
【０１２３】
[00142]好ましくは、導管セクションの少なくとも１つは、清掃ユニット１０８に設けられ、および任意選択的に、清掃ユニット１０８と少なくとも部分的に一体的に形成され得る。あるいは、空気流れ導管部分の全ては、清掃ユニット１０８の外部にあるとし得る。
【０１２４】
[00143]図２、図３および図６に示すように、図示の例では、上部セクション１０４に設けられた空気流路１１６の一部分は、第１の上向き流導管１８４、第２の上向き流導管１８６、および第１の上向き流導管１８４と第２の上向き流導管１８６との間に位置決めされた下降流導管１８８を含む。図２では、およびいくつかの他の図面では、下降流導管１８８を図示していない。
【０１２５】
[00144]この構成では、清掃ユニット１０８を表面清掃ヘッドに取り付けると（図３）、汚れ空気は、汚れ空気吸込口１０６を介して引き込まれ、かつ表面清掃ヘッド１０２を通って、清掃ユニット１０８の底部にある凹部１４６に流れ得る。その後、汚れ空気は、上方に（すなわち、図３の矢印１８９で示すように、全体的に清掃ユニット１０８の底部から離れるように）、第１の上向き流導管１８４の上流端部１９０まで流れ（図３および図６参照）、かつ第１の上向き流導管１８４の対向する下流端部１９２まで移動し得る。図示の例では、第１の上向き流導管１８４の下流端部１９２は、ハンドル１１８に近接して設けられている。
【０１２６】
[00145]汚れ空気は、第１の上向き流導管１８４から、下降流導管１８８の上流端部１９４まで移動してから、下向きに（すなわち、図３の矢印１９１に示すように、全体的に清掃ユニット１０８の底部の方に向かって）、下降流導管１８８の対向する下流端部１９６まで流れ得る。その後、空気は、下降流導管１８８の下流端部１９６から第２の上向き流導管１８６の上流端部１９８へ移され得る。そして、汚れ空気は、第２の上向き流導管１８６の上流端部１９８から上向き流導管１８６の下流端部２００まで全体的に上方に移動し得る（矢印１９３に示すように）。好ましくは、図示の通り、第２の上向き流導管１８６の上流端部１９８は、清掃ユニット１０８上において、第２の上向き流導管１８６の下流端部２００よりも低い位置に位置決めされる。
【０１２７】
[00146]汚れ空気は、第２の上向き流導管１８６の下流端部２００から、サイクロン式ゴミ箱組立体１１０（または他の好適な空気処理部材）の空気吸込口１８０に流れ得る。この構成では、空気流路１１６は、２つの別個の上方または上向き流導管セクション、例えば導管１８４と１８６と間に設けられた、少なくとも１つの下方または下降流導管セクション、例えば導管１８８を含む。空気流路１１６はまた、所望により任意の他の好適な導管セクションを含み得る。任意選択的に、第１の上向き流導管１８４、第２の上向き流導管１８６および下降流導管１８８の一部または全ては、可撓性としてもよいし、および／または可撓性導管部分を含んでもよい。
【０１２８】
[00147]好ましくは、第１の上向き流導管１８４は、全体的に剛性の導管部材、例えばプラスチックチューブを含み、かつまた、構造載荷部材の機能を果たす。図示の例では、剛性の上向き流チューブ１８４はまた、ハンドル１１８の支持体の機能を果たし、かつ使用者が表面清掃装置１００を操作できるようにする。この構成では、上向き流導管１８４は、清掃ユニット１０８およびまたは表面清掃ヘッド１０２に近接したその下端部から、空気処理部材１０８の上方に位置決めされるその上端部（表面清掃装置１００が直立位置にあるとき）まで延在し得る。好ましくは、ハンドル１１８が使用者に快適な高さとなるように、第１の上向き流導管１８４の上端部の位置は選択できる。ハンドル１１８と清掃ユニット１０８の上部（図８の平面１６４によって規定されるような）との間の間隔２０２は、任意の好適な距離としてよく、かつ０．２５メートル〜１．５メートルとし得る。任意選択的に、間隔２０２は、使用者が清掃ユニット１０８および／または表面清掃ヘッド１０２に対してハンドル１１８の高さを変えることができるように、調整可能とし得る。
【０１２９】
[00148]あるいは、上向き流導管１８４の一部または全ては、可撓性としても、またはそうでなければ無負荷ベアリングとしてもよい。任意選択的に、表面清掃装置１００の他の構成要素は、例えば電気コード巻付部材２０４（図８）を含む第１の上向き流導管１８４の外部に取り付けられ得る。第１の上向き流導管１８４は、任意の好適なサイズおよび断面形状に形成され、かつ図示のような円形断面形状である必要はないとし得る。
【０１３０】
[00149]任意選択的に、第１の上向き流導管１８４の少なくとも一部分は、清掃ユニット１０８から取り外し可能または分離可能とし得る。図示の例では、第１の上向き流導管１８４は、取り外し可能な床上清掃ワンド１５４を形成する（図１１および図１２に示すように）。清掃ワンド１５４の吸込口１０６ａは、第１の上向き流導管１８４の上流端部１９０を形成し、かつ任意の好適な機構を使用して清掃ユニット１０８に取り外し可能に接続され得る。例えば、清掃ワンド１５４の吸込口１０６ａは、清掃ユニット１０８の対応するドッキング部分２０６に挿入可能にでき（図６）、および任意の好適な締結具、例えば解放可能なラッチ２０８を使用して適所に保持し得る。この位置にあるとき、清掃ワンド１５４、および／または第１の上向き流導管１８４の残りの部分は、汚れ空気吸込口１０６を清浄空気吹き出し口１１４に接続する空気流路１１６の一部を形成し、かつ表面清掃ヘッド１０２に駆動式に接続され得る。好ましくは、清掃ユニットが表面清掃ヘッドに取り付けられているとき（図１２）、および清掃ユニット１０８が表面清掃ヘッド１０２から分離されているとき（図１１）、清掃ワンド１５４の吸込口１０６ａは清掃ユニットから取り外しできる。清掃ワンド１５４の下流端部１９２または吹き出し側口は、ハンドル１１８に隣接して設けられ得る。
【０１３１】
[00150]この構成では、清掃ワンドの下流端部１９２はまた、第１の上向き流導管１８４の下流端部の機能を果たす。あるいは、第１の上向き流導管１８４は、清掃ワンドの吹き出し側口とは別個の下流端部または吹き出し口を有し得る。
【０１３２】
[00151]汚れ空気は、第１の上向き流導管１８４の下流端部１９２から、同様にハンドル１１８に近接して設けられる下降流導管１８８の上流端部１９４まで流れることができる（図３および図１２）。任意選択的に、第１の上向き流導管１８４の下流端部１９２と下降流導管１８８の上流端部１８４との間に回転可能なまたは他の方法で可動の接続部が設けられ得る。汚れ空気は、下降流導管１８８の下流端部１９６に達するまで下降流導管１８８内を移動できる。
【０１３３】
[00152]清掃ワンド１５４の吸込口が清掃ユニットから外されている場合、表面清掃装置１００の補助汚れ空気吸込口１０６ａの機能を果たし得る。任意選択的に、ワンド１５４の吸込口１０６ａは、１つ以上の補助清掃具、例えば隙間ノズルおよび／または室内装飾用品清掃具に接続されるように構成し得る。
【０１３４】
[00153]その代わりに、またはそれに加えて、空気流路に、および任意選択的に、第１の上向き流導管１８４の部分内に１つ以上の追加的な分離点または連結点があってもよい。例えば、表面清掃装置１００を、ハンドル１１８が内部空気流れ導管部分２１０を含み得るように（図１および図１２）、および清掃ワンド１５４の下流端部１９２から取り外し可能とし得るように、構成し得る。この構成では、ハンドル１１８は、清掃ワンド１５４から切り離されると、補助汚れ空気吸込口を形成し得る。この補助汚れ空気吸込口は、そのままで使用しても、および／または１つ以上の補助清掃具に取り付けてもよい。追加的な取り外し点は、第１の上向き流導管１８４の長さに沿っておよび空気流路１１６内の任意の他の好適な位置に設けられ得る。
【０１３５】
[00154]下降流導管１８８の上流端部１９４は、第１の上向き流導管１８４の下流端部１９２に直接または間接的に接続され、および下降流導管の下流端部１９６は、第２の上向き流導管１８６の上流端部１９８に直接または間接的に接続され得る。
【０１３６】
[00155]下降流導管１８８は、汚れ空気の流れを促すように構成し得る任意の好適な導管部材とし得る。好ましくは、下降流導管は、可撓性導管部材（例えば可撓性ホース）を含む。可撓性導管部材を設けることによって、清掃ワンド１５４を取り除いて操作することを容易にするのを助け得る。図示の例では、下降流導管１８８は可撓性ホースを含む。好ましくは、ホースは、少なくともいくらか伸長可能であるため、清掃ワンド１５４の使用時に、ある程度の余長をもたらすように伸ばすことができ、および清掃ワンド５４が清掃ユニット１０８に取り付けられているときには、より短い長さに収縮させることができる。
【０１３７】
[00156]任意選択的に、清掃ワンド１５４が清掃ユニット１０８から取り外されているとき、ホース１８８の下流端部１９６と第２の上向き流導管１８６の上流端部１９８との間の接続は、清掃ワンド１５４、ハンドル１１８および可撓性ホース１８８と清掃ユニット１０８との間に機械的および／または構造的な接続のみをもたらし得る。この構成では、清掃ワンド１５４を操作することにより、ホース１８８に引張力を加え得る。この引張力または張力は、下降流ダクト１８８の下流端部１９６と清掃ユニット１０８との間の接続を介して表面清掃装置１００に伝えられ得る。
【０１３８】
[00157]例えば、清掃ワンド１５４を操作する使用者は、遠い場所に届かそうとして、ホース１８８を引っ張って届く範囲を延ばそうとしたりし得る。この力は、ホース１８８を経由して清掃ユニット１０８に伝えられ得る。好ましくは、そのような力は、表面清掃装置１００を使用者の方へ動かすこととなり、および一層好ましくは、表面清掃装置１００は、そのような動きの最中にも直立したままである。これは、キャニスター型の真空掃除機で使用されるキャニスターのふるまいと同様に、表面清掃装置１００が、概して、表面を横切って使用者の後についていけるようにし得る。好ましくは、表面清掃装置１００は、そのような引張力にさらされるときに比較的安定的であるように構成できるため、表面清掃装置１００は、ひっくり返る代わりに、使用者の方に動く傾向を有する。一層好ましくは、表面清掃装置１００は、清掃ユニット１０８が表面清掃ヘッド１０２に取り付けられているとき、かつまた、清掃ユニット１０８が表面清掃ヘッド１０２から取り外されているとき、例えば清掃ユニット１０８が床に配置されている場合に、概して安定的であるように構成できる。
【０１３９】
[00158]上部セクション１０４、例えば図示の例では清掃ユニット１０８の比較的低い位置／場所への可撓性ホース１８８と清掃ユニット１０８との間の付着点２１２（例えば図２、図６、および図１１参照）の位置決めは、可撓性ホース１８８を介して引張力を受けるときの表面清掃装置１００の安定性を高めるのを助ける一構成とし得る。
【０１４０】
[00159]しかしながら、空気処理部材１１０、および任意選択的にその空気吸込口１８０が、清掃ユニット１０８の上部の方に設けられるように、表面清掃装置１００が構成されることも望ましいとし得る。これにより、使用者は、あまりかがむなどする必要なく、空気処理部材１１０をより容易に見たりアクセスしたりすることができるようになる。
【０１４１】
[00160]清掃ユニット１０８の可撓性ホース１８８の接続点２１２から全体的に上向きに（垂直にまたはある傾斜角でのいずれかで）延在させて第２の上向き流導管１８６を構成することにより、可撓性ホース１８８と清掃ユニット１０８との間の比較的低い位置の接続点２１２に適合させると同時に、第２の上向き流導管１８６の下流端部２００を清掃ユニット１０８の上部に設けて、第２の上向き流導管を空気処理部材１１０に結合できるようにし得る。
【０１４２】
[00161]好ましくは、第２の上向き流導管１８６は、清掃ユニット１０８が表面清掃ヘッド１０２に取り付けられ、および全体的に直立位置に位置決めされるとき（図３に示すように）、上向き流導管１８６の上流端部１９８が表面清掃装置１００の重心２１４にまたはその下方に位置決めされるように（同様に図８参照）、構成される。任意選択的に、例えば、空気処理部材１１０を所望の配置に収容するのを助けるために、上向き流導管１８６の下流端部２００は、第２の上向き流導管１８６の上流端部１９８の上方に離間して配置され、および表面清掃装置１００の重心２１４にまたはその上方に位置決めされ得る。この構成では、第２の上向き流導管１８６は、表面清掃装置１００の重心２１４を越えて延在する。この構成では、可撓性ホース１８８と上部セクション１０４との間の接続は、表面清掃ユニット１００の重心２１４の下方に配置される。
【０１４３】
[00162]一層好ましくは、第２の上向き流導管１８６の上流端部１９８は、上部セクション１０４の下部に、例えば清掃ユニット１０８の底部の方へ、および／または上部セクションに設けられた他の動作構成要素の少なくともいくつかの要素の下方に設けられ、および第２の上向き流導管１８６の下流端部１９０は、上部セクション１０８の上部に位置決めされる。最も好ましくは、第２の上向き流導管１８６の上流端部１９８は、上部セクション１０４の底端部（例えば清掃ユニット１０８の底部）にまたはその近くに設けられる。あるいは、第２の上向き流導管の上流端部は、任意の他の好適な場所に設けることができる。
【０１４４】
[00163]表面清掃装置１００から清掃ユニット１０８を含む上部セクション１０４を取り除くことにより、表面清掃装置の重心を変え得る。上部セクション１０４が取り外されると、図８に示すように、上部セクションはそれ自体の重心２１６を有し得る。好ましくは、第２の上向き流導管１８６の上流端部１９８は、上部セクション１０４（例えば清掃ユニット１０８の）に位置決めされて、上流端部１９８が、上部セクション１０４の重心２１６にまたはその下方に配置されるようにする。この構成では、第２の上向き流導管１８６の下流端部２００は、上部セクション１０６の重心２１６の上方に位置決めされ得る。
【０１４５】
[00164]図示の例では、上部セクション１０４の重心２１６は、サイクロン式ゴミ箱組立体１１０の外側およびその下方に配置される。この構成では、第２の上向き流導管１８６の上流端部１９８は、サイクロン式ゴミ箱組立体１１０内でサイクロン室１５８および集塵室１６０の床２１８（同様に図５参照）の下方に位置決めされる。
【０１４６】
[00165]図８を参照すると、図示の例では、清掃ユニット１０８の底部を含む概して水平面１６６と、第２の上向き流ダクト１８６の上流端部１９８との間の距離２２０（導管の幾何学的な中心線に対して測定される）は、水平面１６６と重心２１４および２１６のそれぞれとの間の距離２２４および２２２を下回る。任意選択的に、距離２２０は、距離２２２および／または距離２２４の約１５％〜約４５％とし得る。あるいは、第２の上向き流導管１８６の上流端部１９８は、集塵室１６０および／またはサイクロン室１５８の少なくとも一部分と同じ高さに位置決めし得る。
【０１４７】
[00166]任意選択的に、第２の上向き流導管１８６の下流端部２００は、空気処理部材１１０の空気吸込口１８０にほぼ隣接し得る。好ましくは、図８に示すように、下流端部２００は、空気吸込口１８０に直接結合できる。任意の好適なシールまたは他の接続機構は、境界面に設けられ得る。この構成では、第２の上向き流導管１８６の下流端部２００は、集塵室１６０の床２１８と、本例では蓋１７４の下面によって設けられるサイクロン室１５８の上端壁との間に位置決めされる。図示の例では、水平面１６６と第２の上向き流導管１８６の下流端部２００との間の間隔２２６は、水平面１６６と空気吸込口との間の間隔とほぼ同じである。あるいは、直接接続する代わりに、別個のコネクタまたは導管セクションが第２の上向き流導管１８６の下流端部２００と空気吸込口１８０との間に設けられ得る。この構成では、間隔２２６および２２８は等しい必要はない。
【０１４８】
[00167]一部の構成では、吸引モータは、上部セクション１０４の重い構成要素のうちの１つとし得る。図８では、吸引モータ２２８の概略図を仮想線で示している。吸引モータ２２８の重心２３０は、上部セクションの重心２１６と一致しても、または一致しなくてもよい。任意選択的に、上部セクション１０４は、第２の上向き流導管１８６の上流端部１９８が吸引モータ２２８の重心２３０の下方に設けられて、間隔２２０が、平面と吸引モータの重心との間の間隔２３２を下回るように、構成できる。任意選択的に、距離２２０は、距離２３２の約１５％〜約１００％、または１００％を上回るとし得る（例えば一部の構成では、上流端部１９８は重心２３０と同じ高さにあるか、または重心２３０の上方に位置決めされ得る）。好ましくは、第２の上向き流導管１８６の上流端部１９８は、吸引モータ２２８の下方に位置決めされ、および第２の上向き流導管１８６の下流端部２００は、吸引モータ２２８の上方に位置決めされ得る。
【０１４９】
[00168]概して水平面１６６に直交する縦軸２３６に沿って測定された、第２の上向き流導管１８６の上流端部１９８と下流端部２００との間の間隔２３４は、縦方向の上向き流導管の高さ２３４を規定する。上向き流導管の高さ２３４は、１つ以上の重心２１４、２１６および／または２３０および／または表面清掃装置１００の他の動作構成要素の位置を含む、複数の要素に基づいて選択され得る。図示の例では、清掃ユニットの高さ１６２および上部セクションの高さ２３１（図３）も、軸２３６に沿って測定される。任意選択的に、一部の構成では、清掃ユニットの高さ１６２は、上部セクションの高さ２３１にほぼ等しいとし得る。
【０１５０】
[00169]好ましくは、上向き流導管の高さ２３４は、清掃ユニットの高さ１６２の少なくとも約３５％としても、および清掃ユニットの高さ１６２の約３５％〜約８５％としてもよい。任意選択的に、上向き流導管の高さ２３４は、清掃ユニットの高さ１６２の少なくとも５０％としても、および好ましくは清掃ユニットの高さ１６２の約６０％〜約７５％としても、および清掃ユニットの高さ１６２の約６５％としてもよい。
【０１５１】
[00170]任意選択的に、上部セクション１０４を、上向き流導管の高さ２３４が、上部セクションの高さ２３１の少なくとも約１５％であり、かつ約１５％〜約６０％とし得るように、構成し得る。好ましくは、上向き流導管の高さ２３４は、上部セクションの高さ２３１の約２０％〜約４０％としても、および上部セクションの高さ２３１の約２５％としてもよい。
【０１５２】
[00171]任意選択的に、第２の上向き流導管１８６の上流端部１９８は、清掃ユニット１０８の下端部に近接して位置決めし得るため、上流端部１９８と水平面１６６との間の間隔２２０は、表面清掃ユニットの高さ１６２の約２５％未満としてもよく、および清掃ユニットの高さ１６２の約１５％未満としてもよく、または約１０％未満としてもよい。この構成では、間隔２２０は、上部セクションの高さ２３１の１０％未満としても、および約５％未満としてもよい。
【０１５３】
[00172]第２の上向き流導管１８６の上流端部１９８と下流端部２００との間に延びる空気流路１１６の長さに沿った距離は、導管の長さ２４０を規定する（図３）。上向き流導管の長さ２４０は、任意の好適な長さに選択できる。同様に、床上清掃ワンド１５４の吸込口と吹き出し側口との間の距離２４２（図１１）は、ワンドの長さ２４２を規定し、および下降流導管１８８の上流端部１９４と下降流導管１８８の下流端部１９６との間の距離２４４は、図２に示すようにワンド１５４が清掃ユニットに接続されているときに（ホース１８８の一部分が取り除かれている）、下降流導管の長さ２４４を規定する。任意選択的に、上向き流導管の長さ２４０は、ワンドの長さ２４２および／または下降流導管の長さ２４４の少なくとも３５％であるように、およびワンドの長さ２４２および／または下降流導管の長さ２４４の約５０％〜約８５％であるように、選択できる。好ましくは、上向き流導管の長さ２４０は、ワンドの長さ２４２および／または下降流導管の長さ２４４の約４０％〜約５０％であるように、選択できる。任意選択的に、長さ２４０は、サイクロン式ゴミ箱組立体１１０の高さ１１１（例えばサイクロン室１５８の上端壁と集塵室１６０の床２１８との間の距離）を上回り得る。
【０１５４】
[00173]好ましくは、可撓性ホース１８８と第２の上向き流導管１８６との間の接続部２１２は、可動式および／または回転可能な接続部である。ホース１８８の下流端部１９６と第２の上向き流導管１８６の上流端部１９８との間の相対的回転を可能とすることによって、清掃ユニット１０８に加えられるトルクおよび他の回転力を低減させるのを助け、かつ可撓性ホース１８８を捩じったりまたは可撓性ホースに他の損傷を与えたりすることを回避するのを助け得る。回転可能な接続は、任意の好適な結合機構を使用して提供され得る。
【０１５５】
[00174]任意選択的に、図６に示すように、可撓性ホース１８８と上向き流導管１８６との間に、湾曲したＬ字型コネクタ２４６などの導管部材が設けられ得る。好ましくは、Ｌ字型コネクタ２４６は、可撓性ホース１８８の下流端部１９６および／または第２の上向き流導管１８６の上流端部１９８の少なくとも一方に回転可能に結合される。これにより、第１の自由度がもたらされ得る。一層好ましくは、Ｌ字型コネクタ２４６は、第２の上向き流導管１８６の上流端部１９８および下降流導管１８８の下流端部１９６の双方に回転可能に結合され得る。
【０１５６】
[00175]好ましくは、Ｌ字型コネクタ２４６の第１の端部すなわち吸込側口の結合部２４８ａは、第１の回転軸２５０ａの周りで回転可能であり、およびＬ字型コネクタ２４６の第２の端部すなわち吹き出し側口の結合部２４８ｂは、それぞれ第２の回転軸２５０ｂの周りで回転可能である。任意選択的に、第２の軸２５０ｂは、第１の軸２５０ａに対して角度２５２にあるとしても、および第１の軸にほぼ直交する向きとしてもよい。この構成では、Ｌ字型コネクタの第１の端部およびＬ字型コネクタの第２の端部は、異なる方向に向けられている。これにより、接合部２１２に追加的な自由度をもたらし得る。
【０１５７】
[00176]任意選択的に、上部セクション１０４と下降流導管８８との間の接続部２１２は、上部セクション１０４の任意の所望の個所に設けられてよく、好ましくは、上部セクション１０４の後部の近くに、または後部に（表面清掃装置が動く方向に対して）、位置決めされる。空気処理部材１１０の空気吸込口１８０は、空気処理部材１１０の任意の好適な個所に設けられ得る。一部の構成では、空気処理部材１１０は、清掃ユニット１０８の側面に設けられても、および上部セクション１０４の後部から離間していても、および上部セクション１０４と下降流導管１８８との間の接続部２１２から前方に離間していてもよい。
【０１５８】
[00177]上向き流導管１８６は、上部セクション１０４と下降流導管１８８との間の接続部２１２と、空気吸込口１８０との間に延在する任意の好適な形状および構成とし得る。すなわち、第２の上向き流導管１８６の上流および下流端部１９８および２００は、前後方向において互いに離間し得る。図示の例では、第２の上向き流導管１８６は、全体的に線形の導管であり、水平面１６６に対して角度２５４で傾斜している導管軸２５２に沿って延在しており（図８）、かつその上流端部１９８から上方および前方に延在している。角度２５４は、上部セクション１０４の構成に基づいて選択し得る。あるいは、上向き流導管１８６は、非線形としてもよいし、および任意の他の好適な構成を有するように湾曲していてもよいし、および傾斜していなくてもよい。
【０１５９】
[00178]その代わりに、またはそれに加えて、第２の上向き流導管１８６の上流および下流端部１９８および２００は、横方向、例えば左右方向において互いに離間し得る。
【０１６０】
[00179]任意選択的に、一部の構成では、第２の上向き流導管は、ほぼ垂直の導管としてもよく、および第２の上向き流導管の下流端部は、垂直方向に上方に位置決めされてもよく、かつ上部セクションが直立位置にあるときに、部分的に、または全体的に上流端部の上に横たわってもよい。
【０１６１】
[00180]図１および図１１を参照すると、上部セクション１０４のハンドル１１８は、使用者が掴むことができる任意の好適なタイプのハンドルとし得る。
【０１６２】
[00181]任意選択的に、ハンドル１１８は、２つ以上の方向で把持可能である。これにより、使用者が、表面清掃モード（例えば図１）において表面清掃装置を動作させるときに一方向に、および補助清掃モード（例えば図１１および図１２）において表面清掃装置を動作させるときに第２の方向にハンドルを掴むことができるようにする。この構成により、使用者が、両動作モードにおいて表面清掃装置１００を快適に動作させることができるようにする。使用者がハンドル１１８を、およびそこから延びる清掃ワンド１５４を、使用者の腕に対して複数の向きに方向付け得るため、補助清掃モードで動作させるときの使用者の自由度を高め得る。
【０１６３】
[00182]図８および図１１に示すように、好ましくは、ハンドル１１８は、少なくとも２つ離散した把持可能な個所を提供するのを助けるために、互いに離間する少なくとも２つの別個の把持部材２６０および２６２を含み得る。任意選択的に、ハンドル１１８は、外側（または任意選択的に内部）支持部材２６４を含んでもよく、および把持部材２６０および２６２は、外側支持部材２６４に設けられてもよい。
【０１６４】
[00183]把持部材２６０および２６２は、使用者の快適性を高めるのを助け得る比較的軟質の発泡体のようなまたはゲルのような材料を含む、任意の好適な材料から形成し得る。任意選択的に、把持部材２６０および２６２は、外側支持部材２６４と一体的に形成され得る。あるいは、把持部材２６０および２６２は、例えばねじを含む任意の好適な締結具を使用して外側支持体に結合できる別個の部材として設けられ得る。
【０１６５】
[00184]任意選択的に、把持部材２６０および２６２は、外側支持部材２６４に結合できる連続的な挿入部材２６６の部分として互いに一体的に形成され得る。
【０１６６】
[00185]好ましくは、第１の把持部材２６０は、全体的に線形としてもよく、かつ第１の把持軸２６８に沿って第１の方向に向けられ得る。第２の把持部材２６２はまた、任意選択的に、全体的に線形としてもよく、および第２の把持軸２７０に沿って異なる第２の方向に向けられ得る。任意選択的に、第１の把持部材と第２の把持部材との間の角度２７２は、約１０〜約１７５度としてもよく、および約８５〜約１２０度としてもよい。
【０１６７】
[00186]任意選択的に、ハンドル１１８は、３つ以上の把持部材を含み得る。例えば第３の把持部材がハンドルに設けられ、かつ第３の軸に沿って延在し得る。
【０１６８】
[00187]図示の例では、表面清掃装置が直立位置にあるとき、第２の把持部材２６２は、全体的に直立位置（例えば垂直から約１０度以内）にあり、かつ第１の把持部材２６０は、水平面に対して角度２７４にある。好ましくは、角度２７４は約０〜約３０度とし得る。好ましくは、第２のグリップ２６２は、ハンドル１１８の前部に向けられて設けられるように位置決めされ、および第１のグリップ２６０は、ハンドル１１８の上部に向けられて設けられる。あるいは、第２のグリップは、ハンドルの後部に向けてまたは別の好適な位置に設けられ得る。
【０１６９】
[00188]空気流路の部分を形成するとして示されているが、表面清掃装置は、空気流路とは分離しているハンドルを含んでもよい。例えば、ハンドルのシャフトは、清掃ユニットから延在し、かつ清掃ワンドに隣接しておよびそれに対してほぼ平行に設けられ得る。
【０１７０】
[00189]図１３〜２０を参照すると、表面清掃装置１１００の別の実施形態は、表面清掃ヘッド１１０２および上部セクション１１０４を含む。上部セクション１１０４は、空気処理部材１１０および吸引モータハウジング１１２を有する清掃ユニット１１０８を含む。表面清掃装置１００の特徴に類似している表面清掃装置１１００の特徴は、１０００番台を付けた同様の符号で表されている。
【０１７１】
[00190]図示の例では、表面清掃装置１１００は、表面清掃ヘッド２１０２の汚れ空気吸込口２１０６と上部セクション２１０４の清浄空気吹き出し口２１１４との間に延在する空気の流れ１１１６の通路を含む。この例では、空気流路２１１６は、上部セクション２１０４の中心にはなく、その代わりに、表面清掃装置１１００の中心線１３００（図１６）から横方向に離間している導管を含む。空気流路２１１６は、第１の上向き流導管１１８４、下降流導管１１８８および第２の流出導管１１８６を含む。
【０１７２】
[00191]さらに、この例では、上部セクション１１０４に駆動式に接続されたハンドル１１１８は、把持部分と清掃ユニット１１０８との間に延在するハンドルのシャフト部分１３０２を含む。ハンドルのシャフト１３０２は、中空の導管部材である必要はなく、および空気流路１１１６の部分を形成する必要はない。図示の構成では、ハンドル１１１８は、空気流路１１１６から分離されている。
【０１７３】
[00192]この例では、第１の上向き流導管１１８４は、湾曲した導管部材１３０４（図１５、図１８および図１９）を介して、表面清掃ヘッド１１０２と空気の流れを連通させて接続できる上流端部１１９０を有する。導管部材１３０４は上部セクションに設けられてもよいし、または図示の通り、表面清掃ヘッド１１０２の部分を形成してもよい。図示の例では、湾曲した導管部材１３０４は、表面清掃ヘッド１１０２に設けられる。
【０１７４】
[00193]任意選択的に、空気流路１１１６は再構成可能にできるため、表面清掃装置１１００は、少なくとも２つ異なる動作モードに構成できる。図示の例では、第１の上向き流導管１１８４の少なくとも一部分は、空気流路１１１６を再構成するために上部セクション１１０４から選択可能に取り外すことができる清掃ワンド１１５４として動作可能とし得るため、表面清掃装置１１００は、補助的な床上清掃モードで動作できる。清掃ワンド１１５４は、湾曲した導管部材１３０４の下流端部１３０６に解放可能に取り付けられる吸込口１１０６ａを有し得る。清掃ワンド１１５４の上部１３０８は、例えばクリップ１３１０を含む任意の好適な機構に解放可能に保持され得る。
【０１７５】
[00194]清掃ワンド１１５４の下流または吹き出し側口端部１１９２は、任意の好適な結合導管セクション１３１２によって可撓性の下降流導管１１８８の上流端部１１９４に接続できる。好ましくは、結合導管１３１２は、使用者によって把持可能に構成された、全体的に剛性の導管部材とし得る。清掃ワンド１１５４が上部セクション１１０４から取り外されているとき、結合導管１３１２は、ハンドルまたは把持部材の機能を果たし、使用者が清掃ワンド１１５４を掴んで操作できるようにし得る。任意選択的に、結合導管１３１２と清掃ワンド１１５４との間の接続、および／または結合導管１３１２と下降流導管１１８８との間の接続は、回転可能および／または取り外し可能とし得る。これにより、清掃ワンド１１５４が取り外されているとき、清掃ユニット１１０８に対して清掃ワンド１５４を動かすのを容易にするのを助け得る。
【０１７６】
[00195]好ましくは、下降流導管１１８８は可撓性ホース部材である。図示の例では、ホースの下流端部１１９６は、第２の上向き流導管１１８６の上流端部１１９８に結合されている。ホース１１８８と第２の上向き流導管１１８６との間の結合部１２１２は任意の好適な結合部とし、かつ回転可能および／または取り外し可能とし得る。
【０１７７】
[00196]図示の例では、第２の上向き流導管１１８６は、ほぼ垂直の導管部材であり、導管の下流端部１２００は、上流端部１１９８の上方に位置決めされている。下流端部１２００は、導管壁１３１８から前方に延在する吹き出し側口１３１６を含み、サイクロン式ゴミ箱組立体１１１０の空気吸込口１１８０に結合できる。好ましくは、下流端部１２００と空気吸込口１１８０との間の接続は解放可能であるため、サイクロン式ゴミ箱組立体１１０は、空にするために取り外すことができる。この構成では、第２の上向き流導管１１８６の吹き出し側口端部１２００は、比較的短い距離１３２０だけ上流端部１１９８の前方に配置される。
【０１７８】
[00197]この構成では、第２の上向き流導管１１８６の上流端部１１９８と下流端部１２００との間の、縦軸１２３６に平行な縦方向の間隔１２３４は、清掃ユニットの高さ１１６２の約３５％〜約７５％であり、および清掃ユニットの高さ１１６２の約４５％〜５５％とし得る。縦方向の間隔１２３４はまた、表面清掃装置の高さ２１２０の約１５％〜約５０％とし、および約２０％〜約３０％とし得る。好ましくは、縦方向の間隔１２３４は、表面清掃装置の高さの約２５％とし得る。
【０１７９】
[00198]図示の例では、上部セクションが直立位置にあるとき、第２の上向き流導管１１８６の上流端部１１９８は、表面清掃装置の重心１２１４の下方、および清掃ユニット１２１６の重心の上方に位置決めされ得る。この構成では、第２の上向き流導管１１８６の上流端部１１９８は、空気処理部材１１１０の下方（例えば集塵室１１６０の床１２１８の下方）に位置決めされ、および第２の上向き流導管１１８６の下流端部１２００は、サイクロン式ゴミ箱組立体１１１０の上部に設けられる。任意選択的に、第２の上向き流導管１１８６の長さ１２４０（図示の例では、高さ１２３４にほぼ等しい）は、サイクロン式ゴミ箱組立体１１１０の高さ１１１１を上回り得る。
【０１８０】
[00199]当然のことながら、表面清掃装置に組み込まれる態様に依存して、例示の特徴のいくつかは、当業界で公知の任意の設計のものとするために、使用されなくてもよいし、または変更されてもよい。
【０１８１】
[00200]上記の説明は、本考案を説明し、かつ非限定的であるものとし、および当業者には、添付の実用新案登録請求の範囲に定義される本考案の範囲から逸脱せずに、他の変形および修正をなし得ることを理解されたい。
【図１】
0003198489.tif 000003
【図２】
0003198489.tif 000004
【図３】
0003198489.tif 000005
【図４】
0003198489.tif 000006
【図５】
0003198489.tif 000007
【図６】
0003198489.tif 000008
【図７】
0003198489.tif 000009
【図８】
0003198489.tif 000010
【図９】
0003198489.tif 000011
【図１０】
0003198489.tif 000012
【図１１】
0003198489.tif 000013
【図１２】
0003198489.tif 000014
【図１３】
0003198489.tif 000015
【図１４】
0003198489.tif 000016
【図１５】
0003198489.tif 000017
【図１６】
0003198489.tif 000018
【図１７】
0003198489.tif 000019
【図１８】
0003198489.tif 000020
【図１９】
0003198489.tif 000021
【手続補正書】
【提出日】平成27年5月8日(2015.5.8)
【手続補正１】
【補正対象書類名】実用新案登録請求の範囲
【補正対象項目名】全文
【補正方法】変更
【補正の内容】
【実用新案登録請求の範囲】
【請求項１】
（ａ）汚れ空気吸込口を有する表面清掃ヘッドと、
（ｂ）前記汚れ空気吸込口から清浄空気吹き出し口まで延在し、かつ可撓性導管セクションを含む空気流路と、
（ｃ）前記表面清掃ヘッドに可動式に取り付けられ、かつ直立位置と第２の傾斜した使用中の位置との間で可動である上部セクションであって、
（ｄ）前記汚れ空気吸込口と前記清浄空気吹き出し口との間の前記空気流路に位置決めされた空気処理部材と、
（ｅ）前記空気流路に位置決めされた吸引モータと、を含み、
（ｆ）前記上部セクションがさらに、前記可撓性導管セクションと前記空気処理部材との間の前記空気流路に位置決めされた上向き流導管を含み、前記上部セクションが前記直立位置にあるときに、前記可撓性導管が、前記可撓性導管の下流端部まで下方に延在する部分を含み、および前記上向き流導管が、前記上向き流導管の上流端部から前記上向き流導管の下流端部まで上方に延在する、上部セクションと、を含む、直立型の表面清掃装置。
【請求項２】
前記上部セクションが前記直立位置にあるときに、前記上向き流導管の前記上流端部が前記表面清掃装置の重心の下方に位置決めされ、および前記上向き流導管の前記下流端部が、前記表面清掃装置の前記重心の上方にある、請求項１に記載の表面清掃装置。
【請求項３】
前記上向き流導管の前記上流端部が前記吸引モータの位置レベルにあり、および前記吸引モータが、前記上部セクションの下端部において、前記空気処理部材の下方に配置されている、請求項１に記載の表面清掃装置。
【請求項４】
さらに、前記上部セクションが前記直立位置にあるときに、前記表面清掃ヘッドと空気の流れを連通させるように接続された上流端部から、前記空気処理部材の上方に位置決めされた下流端部まで、上方に延在する剛性の上向き流導管を含み、および前記可撓性導管セクションは、前記剛性の上向き流導管の前記下流端部と前記上向き流導管の前記上流端部との間に位置決めされている、請求項１に記載の表面清掃装置。
【請求項５】
前記剛性の上向き流導管の前記下流端部が、前記上部セクションに駆動式に接続されたハンドルを含む、請求項４に記載の表面清掃装置。
【請求項６】
前記空気処理部材が、サイクロン室と、少なくとも部分的に前記サイクロン室の下方に配置されて前記サイクロン室からゴミを受け入れる集塵室とを含み、前記集塵室は底端壁を有し、および前記上部セクションが前記直立位置にあるときに、前記上向き流導管の前記上流端部は、前記集塵室の前記底端壁の下方にある、請求項１に記載の表面清掃装置。
【請求項７】
前記可撓性導管の前記下流端部は、前記上向き流導管の前記上流端部に対して回転可能である、請求項１に記載の表面清掃装置。
【請求項８】
さらに、前記可撓性導管と前記上向き流導管との間に配置された、湾曲した導管部材を含み、前記湾曲した導管部材の少なくとも一方の端部には、回転可能な結合部が設けられる、請求項６に記載の表面清掃装置。
【請求項９】
前記湾曲した導管部材が、前記上向き流導管の前記上流端部および前記可撓性導管の前記下流端部の少なくとも一方に回転可能に結合される、請求項８に記載の表面清掃装置。
【請求項１０】
前記湾曲した導管部材の吸込側口は、前記可撓性導管の前記下流端部に回転可能に結合され、および前記湾曲した導管部材の吹き出し側口は、前記上向き流導管の前記上流端部に回転可能に結合される、請求項８に記載の表面清掃装置。
【請求項１１】
前記湾曲した導管部材の前記吸込側口および吹き出し側口は、異なる方向に向けられている、請求項１０に記載の表面清掃装置。
【請求項１２】
前記上部セクションが清掃ユニットを含み、および前記清掃ユニットが少なくとも前記空気処理部材を含む、請求項１に記載の表面清掃装置。
【請求項１３】
前記上向き流導管が前記清掃ユニットに設けられる、請求項１２に記載の表面清掃装置。
【請求項１４】
前記上向き流導管の前記上流端部が、前記清掃ユニットの下端部に近接して位置決めされる、請求項１２に記載の表面清掃装置。
【請求項１５】
前記上部セクションが前記直立位置にあるときに、前記上向き流導管の前記上流端部が、前記清掃ユニットの重心の下方に位置決めされる、請求項１２に記載の表面清掃装置。
【請求項１６】
前記上向き流導管の前記上流端部が前記清掃ユニットの下端部に近接している、請求項１２に記載の表面清掃装置。
【請求項１７】
前記上部セクションが前記直立位置にあるときに、前記上向き流導管の前記下流端部が、前記清掃ユニットの重心の上方に位置決めされる、請求項１４に記載の表面清掃装置。
【請求項１８】
前記清掃ユニットがまた前記吸引モータを含む、請求項１２に記載の表面清掃装置。
【請求項１９】
前記上部セクションが前記直立位置にあるときに、前記上向き流導管の前記上流端部が、前記吸引モータの重心の下方に位置決めされる、請求項１８に記載の表面清掃装置。
【請求項２０】
前記上部セクションが前記直立位置にあるときに、前記上向き流導管の前記下流端部が、前記吸引モータの上方に位置決めされる、請求項１９に記載の表面清掃装置。
【請求項２１】
前記清掃ユニットが、清掃ユニットの縦軸の方向において測定した清掃ユニットの高さを有し、前記上向き流導管の前記上流端部と前記上向き流導管の前記下流端部との間の縦方向の間隔が、前記上部セクションのユニットの高さの１５％〜１００％である、請求項１２に記載の表面清掃装置。
【請求項２２】
前記上向き流導管の前記上流端部と前記上向き流導管の前記下流端部との間の前記縦方向の間隔が、前記上部セクションのユニットの高さの３５％〜８５％である、請求項２１に記載の表面清掃装置。
【請求項２３】
前記上向き流導管の前記上流端部と前記清掃ユニットの底部との間の縦方向の間隔が、前記上部セクションのユニットの高さの２５％未満である、請求項２１に記載の表面清掃装置。
【請求項２４】
前記上向き流導管の前記上流端部と前記清掃ユニットの底部との間の前記縦方向の間隔が、前記上部セクションの高さの１０％未満である、請求項２１に記載の表面清掃装置。
【請求項２５】
さらに、前記表面清掃ヘッドに可動式に結合された取付用ハブを含み、および前記清掃ユニットが、前記取付用ハブに取り外し可能に取り付けられている、請求項１８に記載の表面清掃装置。
【請求項２６】
前記清掃ユニットが、前記清掃ユニットが前記表面清掃ヘッドから分離されているときに前記清掃ユニットを支持するように構成された少なくとも１つの清掃ユニット支持部材を含む、請求項２５に記載の表面清掃装置。
【請求項２７】
前記少なくとも１つ清掃ユニット支持部材が、少なくとも１つの車輪を含む、請求項２６に記載の表面清掃装置。
【請求項２８】
前記空気処理部材が、前記上向き流導管の前記下流端部と流れを連通させるサイクロン式空気吸込口を有するサイクロン室を含む、請求項１に記載の表面清掃装置。
【請求項２９】
前記空気処理部材が、前記サイクロン室および集塵室を含むサイクロン式ゴミ箱組立体を含む、請求項２８に記載の表面清掃装置。
【請求項３０】
前記サイクロン式空気吸込口が、前記サイクロン室の底部の近くに設けられている、請求項２９に記載の表面清掃装置。
【請求項３１】
前記空気処理部材が空気吸込口を含み、および前記上部セクションが前記直立位置にあるときに、前記上向き流導管の前記上流端部は、前記サイクロン室の前記空気吸込口の下方にある、請求項２８に記載の表面清掃装置。
【請求項３２】
さらに床上清掃ワンドを含み、前記表面清掃装置が、前記床上清掃ワンドが前記空気流路の一部分を形成する床面清掃モード、および前記床上清掃ワンドの吸込口が、前記汚れ空気吸込口との空気流れの連通部から切り離されている床上清掃モードで、動作可能であり、および前記床上清掃ワンドは、前記可撓性導管セクションから上流に接続された吹き出し側口を有する、請求項１に記載の表面清掃装置。
【請求項３３】
さらに、前記床上清掃ワンドに接続されたハンドルを有し、および前記表面清掃装置が前記床面清掃モードにあるとき、前記ハンドルおよび床上清掃ワンドは前記表面清掃ヘッドに駆動式に接続される、請求項３２に記載の表面清掃装置。
【請求項３４】
前記ハンドルが、第１の把持部材、および別個の第２の把持部材を有し、および前記第１の把持部材は第１の方向に延在し、および前記第２の把持部材は、前記第１の方向に対してある角度をなす第２の方向に延在する、請求項３３に記載の表面清掃装置。
【請求項３５】
前記第２の把持部材が、前記第１の把持部材に対して１０度〜１７５度の角度に向けられている、請求項３４に記載の表面清掃装置。
【請求項３６】
前記表面清掃装置が前記直立位置にあるとき、前記第２の把持部材はほぼ垂直であり、および前記第１の把持部材は、水平から３０度以内にある、請求項３４に記載の表面清掃装置。
【請求項３７】
前記第２の把持部材が、前記ハンドルの前方部に設けられ、かつ前記上部セクションが前記直立位置にあるときにほぼ垂直である、請求項３６に記載の表面清掃装置。
【請求項３８】
前記ハンドルが前記清掃ワンドの前記吹き出し側口に近接して設けられている、請求項３３に記載の表面清掃装置。
【請求項３９】
前記清掃ワンドがワンドの長さを有し、前記上向き流導管が上向き流導管の長さを有し、および前記上向き流導管の長さが、前記ワンドの長さの少なくとも３５％である、請求項３２に記載の表面清掃装置。
【請求項４０】
前記上向き流導管の長さが前記ワンドの長さの少なくとも５０％である、請求項３９に記載の表面清掃装置。
【請求項４１】
前記清掃ワンドが前記上部セクションに取り付けられているとき、および前記上部セクションが前記直立位置にあるときに、前記清掃ワンドの前記吸込口が、前記上向き流導管の前記上流端部と下流端部との間に垂直に位置決めされている、請求項３２に記載の表面清掃装置。
【請求項４２】
前記上向き流導管が前記上部セクションに対して傾斜しているため、前記上向き流導管の前記上流端部が、前記表面清掃装置の動きの方向において前記上向き流導管の前記下流端部から離間している、請求項１に記載の表面清掃装置。
【請求項４３】
（ａ）汚れ空気吸込口を有する表面清掃ヘッドと、
（ｂ）前記汚れ空気吸込口から清浄空気吹き出し口まで延在する空気流路と、
（ｃ）前記表面清掃ヘッドに可動式に取り付けられ、かつ直立位置と第２の傾斜した使用中の位置との間で可動である上部セクションであって、
（ｄ）前記汚れ空気吸込口と前記清浄空気吹き出し口との間の前記空気流路に位置決めされた空気処理部材と、
（ｅ）前記空気流路に位置決めされた吸引モータと、を含む上部セクションと、を含む、直立型の表面清掃装置であって、
（ｆ）前記上部セクションが前記直立位置にあるときに、前記空気流路が、
（ｉ）前記表面清掃ヘッドと流体流れを連通させる上流端部と、前記空気処理部材の上方に位置決めされる下流端部との間に延在する、剛性の第１の上向き流導管と、
（ｉｉ）前記上部セクションの下端部に近接して位置決めされた上流端部から、前記上流端部の上方に位置決めされる下流端部まで上方に延在する第２の上向き流導管と、
（ｉｉｉ）前記第１の上向き流導管の前記下流端部と前記第２の上向き流導管の前記上流端部との間に延在する下降流導管と、を含む、直立型の表面清掃装置。
【請求項４４】
前記第２の上向き流導管の前記下流端部が、前記空気処理部材の空気吸込口に近接している、請求項４３に記載の表面清掃装置。
【請求項４５】
前記第１の上向き流導管、第２の上向き流導管および下降流導管が前記空気処理部材の外部にある、請求項４３に記載の表面清掃装置。
【請求項４６】
前記上部セクションが前記直立位置にあるときに、前記第２の上向き流導管の前記上流端部が、前記表面清掃装置の重心の下方に位置決めされる、請求項４３に記載の表面清掃装置。
【請求項４７】
前記上部セクションが前記直立位置にあるときに、前記第２の上向き流導管の前記下流端部が、前記表面清掃装置の重心の上方に位置決めされる、請求項４５に記載の表面清掃装置。
【請求項４８】
前記下降流導管および前記第２の上向き流導管の少なくとも一方が可撓性ホースを含む、請求項４３に記載の表面清掃装置。
【請求項４９】
前記空気処理部材が、サイクロン室と、前記サイクロン室の下方に少なくとも部分的に配置されて前記サイクロン室からゴミを受け入れる集塵室とを含み、前記集塵室が底端壁を有し、および前記上部セクションが前記直立位置にあるときに、前記第２の上向き流導管の前記上流端部が、前記集塵室の前記底端壁の下方にある、請求項４３に記載の表面清掃装置。
【請求項５０】
前記下降流導管の下流端部が、前記第２の上向き流導管の前記上流端部に対して回転可能である、請求項４３に記載の表面清掃装置。
【請求項５１】
さらに、前記下降流導管と前記第２の上向き流導管との間に配置された、湾曲した導管部材を含み、前記湾曲した導管部材の少なくとも一方の端部には、回転可能な結合部が設けられる、請求項５０に記載の表面清掃装置。
【請求項５２】
前記湾曲した導管部材が、前記第２の上向き流導管の前記上流端部および前記下降流導管の前記下流端部の少なくとも一方に回転可能に結合される、請求項５１に記載の表面清掃装置。
【請求項５３】
前記上部セクションが清掃ユニットを含み、および前記清掃ユニットが少なくとも前記空気処理部材を含む、請求項４３に記載の表面清掃装置。
【請求項５４】
前記第２の上向き流導管が前記清掃ユニットに設けられる、請求項５３に記載の表面清掃装置。
【請求項５５】
前記第２の上向き流導管の前記上流端部が、前記清掃ユニットの前記下端部に近接している、請求項５３に記載の表面清掃装置。
【請求項５６】
前記上部セクションが前記直立位置にあるときに、前記第２の上向き流導管の前記上流端部が、前記清掃ユニットの重心の下方に位置決めされる、請求項５３に記載の表面清掃装置。
【請求項５７】
前記上部セクションが前記直立位置にあるときに、前記第２の上向き流導管の前記下流端部が、前記清掃ユニットの重心の上方に位置決めされる、請求項５３に記載の表面清掃装置。
【請求項５８】
前記清掃ユニットがまた前記吸引モータを含む、請求項５３に記載の表面清掃装置。
【請求項５９】
前記上部セクションが前記直立位置にあるときに、前記第２の上向き流導管の前記上流端部が、前記吸引モータの重心の下方に位置決めされる、請求項５８に記載の表面清掃装置。
【請求項６０】
前記上部セクションが前記直立位置および前記第２の傾斜した使用中の位置の少なくとも一方にあるときに、前記第２の上向き流導管の前記下流端部が、前記吸引モータの上方に位置決めされる、請求項５８に記載の表面清掃装置。
【請求項６１】
前記上部セクションが、清掃ユニットの縦軸の方向に測定された上部セクションの高さを有し、および前記第２の上向き流導管の前記上流端部と前記第２の上向き流導管の前記下流端部との間の縦方向の間隔が、前記上部セクションの高さの１５％〜１００％である、請求項４３に記載の表面清掃装置。
【請求項６２】
前記第２の上向き流導管の前記上流端部と前記第２の上向き流導管の前記下流端部との間の前記縦方向の間隔が、前記上部セクションの高さの２５％〜８５％である、請求項６１に記載の表面清掃装置。
【請求項６３】
前記第２の上向き流導管の前記上流端部と前記清掃ユニットの底部との間の縦方向の間隔が、清掃ユニットの高さの２５％未満である、請求項５３に記載の表面清掃装置。
【請求項６４】
前記第２の上向き流導管の前記上流端部と前記清掃ユニットの底部との間の前記縦方向の間隔が、前記清掃ユニットの高さの１０％未満である、請求項６３に記載の表面清掃装置。
【請求項６５】
さらに、前記表面清掃ヘッドに可動式に結合された取付用ハブを含み、および前記清掃ユニットは、前記取付用ハブに取り外し可能に取り付けられている、請求項５３に記載の表面清掃装置。
【請求項６６】
前記空気処理部材が、前記第２の上向き流導管の前記下流端部と空気の流れを連通させるサイクロン式空気吸込口を有するサイクロン室を含む、請求項４３に記載の表面清掃装置。
【請求項６７】
前記サイクロン式空気吸込口が前記サイクロン室の底部の近くに設けられている、請求項６６に記載の表面清掃装置。
【請求項６８】
前記空気処理部材が空気吸込口を含み、および前記上部セクションが前記直立位置にあるときに、前記第２の上向き流導管の前記上流端部が、前記サイクロン室の前記空気吸込口の下方にある、請求項６６に記載の表面清掃装置。
【請求項６９】
さらに床上清掃ワンドを含み、前記表面清掃装置が、前記床上清掃ワンドが前記空気流路の一部分を形成する床面清掃モード、および前記床上清掃ワンドの吸込口が、前記汚れ空気吸込口との空気流れの連通部から切り離されている床上清掃モードで、動作可能であり、および前記床上清掃ワンドは、前記下降流導管のセクションから上流に接続された吹き出し側口を有する、請求項４３に記載の表面清掃装置。
【請求項７０】
前記清掃ワンドがワンドの長さを有し、前記第２の上向き流導管が第２の上向き流導管の長さを有し、および前記第２の上向き流導管の長さが前記ワンドの長さの少なくとも３５％である、請求項６９に記載の表面清掃装置。
【請求項７１】
前記第２の上向き流導管の長さが前記ワンドの長さの少なくとも５０％である、請求項７０に記載の表面清掃装置。
【請求項７２】
前記清掃ワンドが前記上部セクションに取り付けられているとき、および前記上部セクションが前記直立位置にあるときに、前記清掃ワンドの前記吸込口が、前記第２の上向き流導管の前記上流端部の上方に、および前記第２の上向き流導管の前記下流端部の下方に位置決めされている、請求項７１に記載の表面清掃装置。
【請求項７３】
前記第２の上向き流導管が前記上部セクションに対して傾斜しているため、前記上向き流導管の前記上流端部が、前記表面清掃装置の動きの方向において、前記第２の上向き流導管の前記下流端部から離間している、請求項４３に記載の表面清掃装置。